(57)【特許請求の範囲】
【請求項１】
少なくとも１つのチューナを備え、第１の映像信号と、前記第１の映像信号を高画質化
するために用いられる第２の映像信号とを受信する受信部と、
前記第１の映像信号を復号して第１の解像度の第１の映像を生成可能であり、前記第１
の映像信号及び前記第２の映像信号を復号して前記第１の解像度の前記第１の映像よりも
高画質な第２の解像度の第２の映像を生成可能であり、前記第１の映像又は前記第２の映
像の一方を出力する復号部と、
前記受信部が前記第２の映像信号を受信した場合に、前記復号部で生成される前記第２
の映像における番組の番組名を検出する検出部と、
予めユーザが用語を設定可能であり、前記第１の映像又は前記第２の映像が表示される領域の解像度の大きさがしきい値よりも大きい場合に、検出した前記番組名と予め設定した前記用語とに基づいて前記領域に前記第２の映像を表示するか前記第１の映像を表示するかを判断していずれかを表示し、前記第１の映像又は前記第２の映像が表示される前記領域の解像度の大きさがしきい値以下である場合に、前記領域に前記第１の映像を表示する制御部と、
を備える電子機器。
【請求項２】
現在選局中のチャンネルに対応する映像信号を受信していない未使用のチューナがある
場合、前記未使用のチューナは、現在選局中のチャンネル以外のチャンネル対応する前記
第１の映像信号又は前記第２の映像信号の少なくとも一方を受信する請求項１に記載の電子機器。
【請求項３】
少なくとも１つのチューナを用いて、第１の映像信号と、前記第１の映像信号を高画質
化するために用いられる第２の映像信号とを受信し、
前記第１の映像信号を復号して第１の解像度の第１の映像を生成可能であって、前記第
１の映像信号及び前記第２の映像信号を復号して前記第１の解像度の前記第１の映像より
も高画質な第２の解像度の第２の映像を生成可能であって、前記第１の映像又は前記第２
の映像の一方を出力し、
前記第２の映像信号を受信した場合に、前記第２の映像における番組の番組名を
検出し、
予めユーザが用語を設定し、
前記第１の映像又は前記第２の映像が表示される領域の解像度の大きさがしきい値より
も大きい場合に、検出した前記番組名と予め設定した前記用語とに基づいて前記領域に前記第２の映像を表示するか前記第１の映像を表示するかを判断していずれかを表示し、
前記第１の映像又は前記第２の映像が表示される前記領域の解像度の大きさがしきい値以下である場合に、前記領域に前記第１の映像を表示する表示方法。
【請求項４】
現在選局中のチャンネルに対応する映像信号を受信していない未使用のチューナがある
場合、前記未使用のチューナは、現在選局中のチャンネル以外のチャンネル対応する前記
第１の映像信号又は前記第２の映像信号の少なくとも一方を受信する請求項３に記載の表示方法。
【発明の詳細な説明】
【技術分野】
【０００１】
本発明の実施形態は、電子機器、及び表示方法に関する。
【背景技術】
【０００２】
近年、現行のＨＤ（High Definition）（２Ｋ）放送の水平および垂直解像度の4倍もしくは8倍の解像度を持つ、いわゆる４Ｋ放送（3840×2160）や８Ｋ放送（7680×4320）の導入が国内の衛星放送などでも検討されている。
【０００３】
しかし、現行放送を維持しながら４Ｋ放送や８Ｋ放送を導入しようとすると大容量の放送帯域の新たな確保が必要となる。また、現行放送事業者が４Ｋ／８Ｋ放送サービスを提供する場合には映像解像度や符号化方式が異なるため、番組制作・サービス運用コストの負担増加が懸念される。
【０００４】
このため、たとえば、２０１４年７月にＭＰＥＧ（Moving Picture Experts group）で標準化された最新の映像符号化方式標準である、ＨＥＶＣ（High efiiciency Video Coding)規格（ISO/IEC23008-2）第２版の中で拡張規定されたＳＨＶＣ (Scalable High efiiciency Video Coding) (スケーラブルＨＥＶＣ)を適用することが検討されている。具体的には、ＨＤ信号のＭＰＥＧ−２  Ｖｉｄｅｏ映像符号化方式をベースとして、このデコード画像も参照画像として４Ｋ／８Ｋ信号のＨＥＶＣ符号化に拡張利用する、ＳＨＶＣ方式である。
【０００５】
このような新規サービスの追加、拡張、及び導入する際には、既存の受信機の中には想定外の動作を引き起こす懸念があり、現行放送仕様に準拠しながら追加拡張のサービスを導入することが困難になり得る。
【０００６】
また、４Ｋ／８Ｋ放送対応の受信機において、ＳＨＶＣ等による信号を受信再生する際には、メインチャンネル(現行放送信号（基準映像信号）)とサブチャンネル(拡張放送信号（拡張映像信号）)を並行してリアルタイム処理することになるため、受信機メインチャンネルとサブチャンネルとから高画質な映像を生成する処理負荷が高く、消費電力が増大するとともに、チャンネル切り替えてから高画質な映像が表示されるまでの遅延時間が発生し得る。
【先行技術文献】
【特許文献】
【０００７】
【特許文献１】特開平１０−７０７２５号公報
【発明の概要】
【発明が解決しようとする課題】
【０００８】
本発明の一形態が解決しようとする課題は、効果的に高画質な映像を表示するための電子機器、及び表示方法を提供することである。
【課題を解決するための手段】
【０００９】
本実施形態に係る電子機器は、少なくとも１つのチューナを備え、第１の映像信号と、
第１の映像信号を高画質化するために用いられる第２の映像信号とを受信する受信部と、
第１の映像信号を復号して第１の解像度の第１の映像を生成可能であり、第１の映像信号
及び第２の映像信号を復号して第１の解像度の前記第１の映像よりも高画質な第２の解像
度の第２の映像を生成可能であり、第１の映像又は第２の映像の一方を出力する復号部と
、前記受信部が前記第２の映像信号を受信した場合に、前記復号部で生成される前記第２
の映像における番組の番組名を検出する検出部と、予めユーザが用語を設定可能であり、第１の映像又は第２の映像が表示される領域の解像度の大きさがしきい値よりも大きい場合に、検出した前記番組名と予め設定した前記用語とに基づいて前記領域に第２の映像を表示するか前記第１の映像を表示するかを判断していずれかを表示し、前記第１の映像又は前記第２の映像が表示される前記領域の解像度の大きさがしきい値以下である場合に、前記領域に前記第１の映像を表示する制御部と、を備える。
【図面の簡単な説明】
【００１０】
【図１】図１は、第１の実施形態の送受信システム１の一例を示す概要図である。
【図２】図２は、第１の実施形態の受信機の一例を示すブロック図である。
【図３】図３は、受信機の信号処理部に備えられる復号処理部の一例を示すブロック図である。
【図４】図４は、第１の実施形態の受信機の動作を示すフローチャートである。
【図５Ａ】図５Ａは、副映像を表示する場合の一例を示す図である。
【図５Ｂ】図５Ｂは、図５Ａの場合における副映像の選局の一例を示す図である。
【図６Ａ】図６Ａは、サムネイル映像を表示する場合の一例を示す図である。
【図６Ｂ】図６Ｂは、図６Ａの場合におけるサムネイル映像の選局の一例を示す図である。
【図７】図７は、複数の画面表示する場合の選局の一例を示す図である。
【図８】図８は、録画リストに表示されるサムネイル映像の選局の一例を示す図である。
【図９】図９は、編集画面に表示されるサムネイル映像の選局の一例を示す図である。
【図１０】図１０は、第１の実施形態の変形例１の受信機の一例を示すブロック図である。
【図１１】図１１は、第１の実施形態の変形例１の受信機５の動作を示すフローチャートである。
【図１２】図１２は、第２の実施形態の受信機の一例を示すブロック図である。
【図１３】図１３は、第２の実施形態の受信機５の動作を示すフローチャートである。
【図１４】図１４（ａ）は、ザッピング中における予測チャンネルの一例を示す図であり、図１４（ｂ）は、ザッピング中における予測チャンネルの一例を示す図である。
【図１５】図１５（ａ）は、ザッピング中における予測チャンネルの一例を示す図であり、図１５（ｂ）は、ザッピング中における予測チャンネルの一例を示す図である。
【図１６】図１６は、第２の実施形態の変形例２の受信機５の動作を示すフローチャートである。
【図１７】図１７は、第２の実施形態の変形例２の表示切り替えの設定画面の一例を示す図である。
【図１８】図１８は、項目毎に表示切り替えを設定可能な設定画面の一例を示す図である。
【図１９】図１９は、第３の実施形態の受信機の一例を示すブロック図である。
【図２０】図２０は、第３の実施形態の受信機の動作を示すフローチャートである。
【図２１】図２１は、第４の実施形態の受信機の一例を示すブロック図である。
【図２２】図２２は、第４の実施形態の高画質映像の表示設定画面の一例である。
【図２３】図２３（ａ）は、第４の実施形態の高画質映像の表示設定画面の一例であり、図２３（ｂ）は、第４の実施形態の高画質映像の表示設定画面の一例である。
【図２４】図２４（ａ）は、第４の実施形態の高画質映像の表示設定画面の一例であり、図２４（ｂ）は、第４の実施形態の高画質映像の表示設定画面の一例である。
【図２５】図２５は、第４の実施形態の受信機の動作を示すフローチャートである。
【図２６】図２６は、第５の実施形態の受信機の一例を示すブロック図である。
【図２７】図２７は、第５の実施形態の受信機５の動作を示すフローチャートである。
【図２８】図２８は、変形例の送受信システム１の一例を示す概要図である。
【図２９】図２９は、変形例のサムネイル映像を表示する場合の一例を示す図である。
【発明を実施するための形態】
【００１１】
以下、図面を参照して実施形態の説明をする。  
（第１の実施形態）  
図１は、第１の実施形態の送受信システム１の一例を示す概要図である。  
本実施形態の送受信システム１は、送信機（送信装置）３、および受信機（受信装置、電子機器）５で構成されている。送受信システム１において、送信機３、および受信機５は、それぞれ有線及び／又は無線の放送及び通信の伝送路で接続されている。送受信システム１では、送信機３は、例えば、放送波やＩＰネットワークを媒体として番組コンテンツを配信する。
【００１２】
送信機３は、入力される基映像（基映像信号）に種々の情報を付帯させてコンテンツ（テレビ番組（放送番組）、衛星放送番組、配信コンテンツ、映像、画像、音楽、及びプログラム等）を生成し、映像信号として送信する。基映像は、撮像装置、例えば、カメラで撮像される高画質映像（第１の高画質映像信号）である。高画質映像は、例えば、４Ｋ（水平方向解像度３８４０／垂直方向解像度２１６０（または１４４０），フレームレート（映像周波数）６０Ｈｚ）の映像、または８Ｋ（水平方向解像度７６８０／垂直方向解像度４３２０、フレームレート１２０Ｈｚ）映像等の２Ｋ（水平方向の画素数が１９２０、垂直方向の画素数が１０８０，フレームレート６０Ｈｚ）の映像よりも高画質な映像である。送信機３は、ＳＨＶＣ (Scalable High efiiciency Video Coding)符号化方式をＨＤ（High Definition）放送に適用して構成されている。図１に示すように、ＳＨＶＣ方式の放送では、送信機３は、コンテンツを複数の信号に変換し、複数の信号をそれぞれ、伝送路１０１内に含まれる異なる伝送路で伝送する。伝送路１０１は、信号を伝送するための１以上の伝送路であればどのようなものであっても良く、放送波の帯域やＩＰネットワークの回線等である。
【００１３】
送信機３は、基映像である高画質映像をダウンコンバートして符号化した基準映像信号（第１の映像信号）とこの基準映像信号を参照して符号化した拡張映像信号（第２の映像信号）とを生成する。送信機３は、所定の変換方式で変換した基準映像信号及び拡張映像信号を伝送路１０１に含まれるいずれかの伝送路に出力する。基準映像信号は、コンテンツ（基準映像（第１の映像））を構成する信号であり、例えば、現行の地上デジタル放送波で放送されているＭＰＥＧ２により符号化された映像信号であっても良く、現行の地上デジタル放送波で放送されている映像信号と異なる映像信号であっても良い。拡張映像信号は、基準映像信号を高画質化するために用いられる。拡張映像信号は、対応する基準映像信号を参照することによって基準映像を高画質な映像（高画質映像（第２の映像））に拡張するための信号である。例えば、送信機３は、基準映像信号及び拡張映像信号をそれぞれ異なる伝送路で出力する。送信機３は、それぞれの伝送路に出力する信号を各々の変換方式に対応する異なる伝送方式で伝送する。伝送方式は、放送方式、符号化方式、伝送の経路、伝送の方法、伝送帯域、及び回線の種類等を含む信号の伝送に関連する種々の手段（形式）である。例えば、送信機３は、ＭＰＥＧ―２符号化方式のエンコーダによって基準映像信号を生成し、ＳＨＶＣ符号化方式（スケーラブル符号化方式）のエンコーダによって拡張映像信号を生成している。ＳＨＶＣ符号化方式では、ＳＨＶＣエンコーダ４４は、予測画像の生成に、インター予測（動き補償予測）、イントラ予測（画面内予測）、及びレイヤ間予測（画像間予測）のいずれかを実行できる。
【００１４】
例えば、送信機３は、入力された基映像から基準映像（画像）信号（ＨＤ（２Ｋ）映像信号（第１の映像信号））と、拡張映像信号（４Ｋ映像用のＨＤ映像の補完映像（第２の映像信号））とを生成する。送信機３は、基準映像信号及び拡張映像信号を各々を互いに異なる伝送路及び／又は伝送方式で伝送（送信）する。
【００１５】
送信機３から出力される基準映像信号は、ＰＳＩ／ＳＩ（第１のＰＳＩ／ＳＩ）、ＥＣＭ（Entitlement Control Message）／ＥＭＭ（Entitlement Management Message）（第１のＥＣＭ／ＥＭＭ）、および時間情報等を備えている。また、拡張映像信号は、ＰＳＩ／ＳＩ（第２のＰＳＩ／ＳＩ）、ＥＣＭ／ＥＭＭ（第２のＥＣＭ／ＥＭＭ）、および時間情報等を備えている。ここで、第１のＰＳＩ／ＳＩ及び第２のＰＳＩ／ＳＩは、同一のコンテンツ（または基映像）に関連する情報である。なお、第２のＰＳＩ／ＳＩは、ＰＭＴ内に異なる伝送路及び／又は異なる伝送方式で伝送される信号のＥＳを参照できるようにするための記述子（第１の選局制御情報）を含んでいてもよい。また、第２のＰＳＩ／ＳＩは、例えば、ＮＩＴに新たに基準映像信号及び拡張映像信号を関連付ける記述子（第２の選局制御情報）を含んでいてもよい。第２の選局制御情報は、異なる伝送路及び異なる伝送方式で伝送される信号の識別を可能にし、異なる伝送路及び異なる伝送方式で伝送される信号を参照することを可能にする。
【００１６】
ここで、ＥＣＭは、受信機５の制御に関する情報等の含む共通情報であり、ＥＭＭは、個人契約情報及び共通情報の暗号を解くための情報を含む個別情報である。  
ＰＳＩ及びＳＩは、ＰＡＴ（Program Association Table）、ＰＭＴ（Program Map Table）、ＮＩＴ（Network Information Table）、及びＣＡＴ（Conditional Access Table）等を含む。ＰＡＴは、ストリームに含まれるプログラムを管理する情報である。ＰＭＴは、コンテンツ（番組、プログラム）を構成するオーディオ／ビデオ（Ａ／Ｖ）などのデータを管理する情報である。ＮＩＴは、ネットワーク関連の設定を管理する情報であり、チャンネル番号、変調方式、及びガードインターバル等の送信するネットワークに関連する情報を含む。ＣＡＴは、有料放送のための管理情報である。なお、以下で説明の便宜上、ＳＩをＰＳＩの一部としてＰＳＩと表現する場合もある。
【００１７】
時間情報は、例えば、ＰＴＳ（Presentation Time Stamp）、ＤＴＳ（Decoding Time Stamp）、システム時刻基準値（System Time Clock : STC）及びＳＣＲ（System Clock Reference）等を含む。
【００１８】
受信機５は、衛星及び／又は地上波（地上デジタル放送）放送によって送信機３から配信されるコンテンツを受信し、受信したコンテンツを表示する。受信機５で受信され、表示されるコンテンツの内、メインチャンネルとしての映像及びその映像の表示信号（第１の表示信号）を、放送信号、メインチャンネル、メインサービス、メインチャンネルＴＳ（Transport Stream）、主映像信号、ＨＤ映像信号、ＨＤ放送信号、２Ｋ映像信号現行サービス、及び現行放送信号などと称し、サブチャンネルとしての映像及びその映像の表示信号（第２の表示信号）を、サブチャンネル、サブサービス、サブチャンネルＴＳ、高画質映像信号、４Ｋ映像信号、４Ｋ放送信号、拡張サービス、及び拡張放送信号などと称する場合もある。以下で、受信機５においてコンテンツ及び番組の信号等を表示するためにリモートコントローラ（リモコン）などに備えられるチャンネルを特別断りのない場合には単にチャンネルと称する。
【００１９】
受信機５は、例えば、テレビジョン（ＴＶ）、パーソナルコンピュータ（ＰＣ）、ホームサーバ、及びレコーダ等である。本実施形態において、受信機５は、２Ｋ（２Ｋ１Ｋ）、４Ｋ（４Ｋ２Ｋ）、及び／又は、８Ｋ（８Ｋ４Ｋ）対応ＴＶである。以下で、説明の便宜上、受信機５は、２Ｋ／４Ｋ対応ＴＶとして記載する。
【００２０】
以下で、図面を参照して受信機５について詳細に説明する。  
図２は、第１の実施形態の受信機５の一例を示すブロック図である。  
本実施形態の受信機５は、アンテナ部１０４と、外部入力端子１０５と、入力部１１１と、信号処理部１１２と、システムコントローラ（システム制御部（制御部））１１３と、映像処理部１１４と、表示部１１５と、音声処理部１１６と、音声出力部１１７と、操作部１１９と、受信部１２０と、通信インターフェース１２１と、ネットワーク制御部１２２と、ＵＳＢ（Universal Serial Bus）インターフェース１２３と、ＨＤＭＩ（High-Definition Multimedia Interface）（登録商標）１２４と、ＲＡＭ（Random Access Memory）１２５と、ＮＶＭ(Non-Volatile Memory)１２７と、記憶部１２９とを備えている。
【００２１】
アンテナ部１０４は、放送波等を受信し、入力部１１１に出力する。例えば、アンテナ部１０４は、放送波として伝送路１０１を伝送される基準映像信号及び拡張映像信号を受信し、入力部１１１に出力する。  
外部入力端子１０５は、専用回線、端末機器及び／又は外部機器等と接続するための端子である。
【００２２】
入力部１１１は、放送を受信するアンテナ及び受信信号を選択するチューナ等により構成される。入力部１１１は、複数のチューナ、例えば、図５に示すように、地上デジタル放送信号、ＢＳ（Broadcasting satellite）放送信号、及びＣＳ（Communications satellite）信号放送等に対応する８つのチューナを備えている。入力部１１１は、アンテナと接続し、放送事業者が放送用回線及び／又は空間波により供給する番組等を受信する。例えば、入力部１１１は、複数のチューナを備えている場合、これの番組を構成する信号を少なくとも１つのチューナで受信する。また、入力部１１１は、伝送路及びネットワークを介して供給されるコンテンツ（番組等）を受信する。入力部１１１は、放送ストリーム（放送信号及び拡張放送信号）を受信し、１つまたは複数の番組放送を選択し、信号処理部１１２で利用可能な放送ストリームとする。入力部１１１は、受信した所定のチャンネル数の全てのコンテンツ（番組等）を信号処理部１１２へ送信する。入力部１１１は、外部入力端子１０５からも信号を取得することができる。
【００２３】
信号処理部１１２は、復号処理部２２１を備えている。信号処理部１１２は、受信した放送信号に多重化されている番組付帯情報を分離し、分離した番組付帯情報を映像処理部１１４に出力するとともに、記録ストリームをシステムコントローラ１１３に出力する。記録ストリームは、信号処理部１１２において入力部１１１で受信した放送ストリームから番組付帯情報を分離した情報である。信号処理部１１２は、入力部１１１から取得した放送の信号（放送信号及び拡張放送信号）を映像信号（ビデオ）（第１のＴＳ信号及び第２のＴＳ信号）と音声信号（オーディオ）と表示制御情報とに分離する。さらに、信号処理部１１２は、復号処理部２２１によって第１のＴＳ信号及び第２のＴＳ信号に対して復元処理（復号処理）を実行する。信号処理部１１２は、音声信号を音声処理部１１６に出力する。なお、信号処理部１１２は、複数の復号処理部２２１を備えていてもよい。復号処理部２２１の詳細については後述する。
【００２４】
システムコントローラ（システム制御部）１１３は、受信機５の各部の動作を制御する。すなわち、システムコントローラ１１３は、入力部１１１、信号処理部１１２、映像処理部１１４、表示部１１５、音声処理部１１６、音声出力部１１７、ＤＭＳ部１１８、操作部１１９、受信部１２０、通信インターフェース（Ｉ／Ｆ）１２１、ネットワーク制御部１２２、ＵＳＢインターフェース（Ｉ／Ｆ）１２３、ＨＤＭＩ１２４、及び記憶部１２９等を制御する。システムコントローラ１１３は、後述する信号処理部１１２の復号処理部２２１の各部に接続され、復号処理部２２１の処理を制御する。
【００２５】
システムコントローラ１１３は、受信部１２０が受信するリモコン端末（リモートコントローラ（リモコン））３０２、キーボード３０６や携帯型端末、例えば、スマートフォン、携帯電話、タブレット、及びノートＰＣ等からの入力信号（操作指示信号）に対応する各種の制御コマンドを出力する。ここで、制御コマンドとは、例えば、テレビ方法（番組）の録画、録画されたコンテンツ（番組）の再生、等を指示するコマンドである。
【００２６】
また、システムコントローラ１１３は、ＣＰＵ１３２と、復号制御部１３３と、ＲＯＭ（Read Only Memory）１３８と、を含む。  
ＣＰＵ１３２は、動作を制御するメインプロセッサである。ＣＰＵ１３２は、ＲＯＭ１３８、およびＮＶＭ１２７等に含まれる設定情報を読み込んで実行することができる。また、ＣＰＵ１３２は、後述するシステムコントローラ１１３に含まれる回路等の指示を受けてシステムコントローラ１１３の各部をそれぞれ制御する。ＣＰＵ１３２は、受信機５の本体に設けられた操作部１１９からの操作情報、またはリモートコントローラ３０２から送信され受信部１２０で受信された操作情報を受けることにより、それら操作情報の操作内容が反映されるように受信装置５の各部をそれぞれ制御する。
【００２７】
復号制御部１３３は、少なくとも２つの多重化分離部及びデコーダによる復号処理を制御する。本実施形態において、復号制御部１３３は、少なくとも１つの復号処理部２２１の復号処理を制御する。復号制御部１３３は、ＣＰＵ１３２からの指示に従って復号処理部２２１の動作の制御および電力供給の制御を実行する。また、復号制御部１３３は、ＣＰＵ１３２以外の受信機５の各部から直接信号を受信して復号処理部２２１の制御を実行することもできる。例えば、復号処理部２２１は、後述する第２の信号処理部６０２での復号処理のみを制御してもよい。復号制御部１３３は、電子回路等である。なお、復号制御部１３３は、ＣＰＵ１３２に組み込まれてもよいし、ＣＰＵ１３２で実行されるファームウェアであってもよい。
【００２８】
ＲＯＭ（読取専用メモリ）１３８は、システムコントローラ１１３（ＣＰＵ１３２）が実行する制御プログラムを保持する。  
映像処理部１１４は、信号処理部１１２から取得した映像信号（第１の表示信号及び／又は第２の表示信号）をデコードし、デコードした映像信号を表示部１１５で表示可能な所定の解像度及び出力方式に変換する。映像処理部１１４は、システムコントローラ１１３から出力される信号を受けて、ＯＳＤ（On Screen Display）信号を生成する。例えば、映像処理部１１４は、ＯＳＤ信号として統合番組表の表示信号を生成する。映像処理部１１４は、ＯＳＤ信号と変換された映像信号とを合成（多重化）し、ＯＳＤ信号と変換された映像信号との合成映像信号を表示部１１５へ出力する。映像処理部１１４は、外部機器として接続される外部モニタ装置あるいは投影装置（プロジェクタ装置）等の出力端に前述の合成映像信号を出力してもよい。
【００２９】
表示部１１５は、映像処理部１１４から合成映像信号を映像として表示する。リモコン３０２及びその他の携帯端末等からの操作信号を受信部１２０が受信した際に、表示部１１５は、操作信号に従って映像を表示する。また、ＵＳＢインターフェース１２３を介してキーボード３０６からの操作信号が出力された場合にも、表示部１１５は、キーボード３０６からの操作信号に従って映像を表示することができる。以下で、基準映像信号をエンコードすることによって生成される映像を基準映像と称し、基準映像信号及び拡張映像信号をエンコードすることによって生成される映像を高画質映像と称する場合もある。
【００３０】
音声処理部１１６は、入力部１１１が受信する番組の音声／音響信号（オーディオ）をデコードし、音声出力部１１７に出力する。
【００３１】
操作部１１９は、ユーザによる直接操作に対応する制御コマンドをシステムコントローラ１１３に入力する。  
受信部１２０は、外部端末、例えば、リモコン３０２、及び携帯型端末等からの入力信号に対応する制御コマンドをシステムコントローラ１１３に入力する。
【００３２】
通信インターフェース１２１は、例えば、ＷｉＦｉ（Wireless Fidelity）規格等に準拠する近距離無線通信機器との間の無線通信を実現する。なお、近距離無線通信規格としては、例えばＢｌｕｅｔｏｏｔｈ（登録商標）規格やＮＦＣ（Near Field Communication）等も利用可能である。通信インターフェース１２１は、また、有線方式／無線方式のいずれであってもよく、例えば、ワイヤレスキーボードやマウス等との間の信号の送受信が可能な通信ユニット等が接続する。また、通信インターフェース１２１は、例えば、非接触のカード媒体との間の通信が可能なカードリーダー（読取部）３０４等との通信もできる。
【００３３】
ネットワーク制御部１２２は、外部ネットワーク、例えば、インターネット（ＩＰネットワーク）へのアクセスを制御する。ネットワーク制御部１２２は、インターネット（ＩＰネットワーク）上で情報の送受信を実行する。例えば、ネットワーク制御部１２２は、ＩＰネットワークを介して拡張映像の情報を受信することもできる。この場合、ネットワーク制御部１２２は、ＣＰＵ１３２の指示信号に従って入力部１１１に拡張映像信号に入力する。なお、ネットワーク制御部１２２は、基準映像信号及び／又は拡張映像信号を受信し、入力部１１１に出力していてもよい。
【００３４】
ＵＳＢインターフェース１２３は、例えば、ＵＳＢ規格に準拠する外部機器、例えばキーボード３０６等が接続される。  
ＨＤＭＩ１２４は、ＨＤＭＩ規格またはＭＨＬ（Mobile High-definition Link）規格を利用する複数の機器の間の有線通信を可能にする。
【００３５】
ＲＡＭ（ランダムアクセスメモリ（ワークメモリ））１２５は、システムコントローラ１１３（ＣＰＵ１３２）に作業エリアを提供する。  
ＮＶＭ（不揮発性メモリ）１２７は、受信機５の各種の設定情報および制御情報等を保持する。また、不揮発性メモリ１２７は、番組表の構築内容情報を保持することもできる。例えば、不揮発性メモリ１２７は、各種表示する表示画面の設定情報を備えている。
【００３６】
例えば、不揮発性メモリ１２７は、表示映像の表示領域の解像度の大きさのしきい値（表示閾値）等を備えていてもよい。表示閾値は、復号制御部１３３が復号処理部２２１を制御する場合に参照する情報である。基準解像度は、４Ｋもしくは８Ｋ映像の解像度より小さい解像度、または４Ｋ映像の１／４の解像度等でもよい。
【００３７】
また、不揮発性メモリ１２７が、設定情報に基準解像度（例えば、切り替え前の表示映像の解像度）の情報を備えていてもよい。ここで、基準解像度は、任意にユーザによって設定されてもよいし、予め設定されていてもよい。また、基準解像度は、現在表示されている表示映像の解像度でもよいし、受信機５が対応している最高の画質の映像の解像度でもよい。例えば、基準解像度は、４Ｋもしくは８Ｋ映像の解像度、または４Ｋ映像の１／４の解像度等でもよい。なお、基準解像度は、他の記録媒体に記録されていてもよいし、ＲＯＭ１３８等に保持されていてもよい。
【００３８】
表示画面の設定情報は、副映像、２画面表示、およびサムネイル映像等の各種映像を表示部１１５の画面に表示する際の解像度（表示解像度）または表示画面の大きさ等の情報である。なお、表示画面の設定情報は、他の記録媒体に記録されていてもよいし、ＲＯＭ１３８等に保持されていてもよい。
【００３９】
設定情報は、基準映像（低画質映像）と高画質映像（拡張映像）とのうちどちらを表示するか判断するために用いられる情報（判断情報）も備えている。この場合、判断情報に含まれる情報は、高画質映像の種別（４Ｋの解像度か、８Ｋの解像度か）ごとに設定されても良く、ユーザによってリモコン３０２等を介して任意に設定されても良く、製造段階であらかじめ設定されていても良い。基準映像と高画質映像のうちどちらを表示するか判断するために用いられる判断情報は、映像の表示形態（例えば、クラウドメニュー、副映像、複数画面表示、サムネイル映像表示等）ごとに、表示すべき映像が基準映像と高画質映像のどちらかを示す情報でもよく、映像を表示する領域の大きさ（解像度）の大きさの閾値（表示閾値）であってもよい。
【００４０】
記憶部１２９は、例えば、ＨＤＤ（Hard Disk Drive）であり、受信機５の各種設定情報及び受信したコンテンツ、表示部１１５に表示される映像等を記録する。なお、記憶部１２９は、外部機器としてＵＳＢインターフェース１２３を介して接続されていてもよい。
【００４１】
次に、図を参照して復号処理部２２１の構成について以下で説明する。  
図３は、受信機５の信号処理部１１２に備えられる復号処理部２２１の一例を示すブロック図である。  
復号処理部２２１は、入力部１１１で選局された放送信号に復号処理を施し、映像信号、音声信号、字幕／文字スーパー情報及び番組関連情報をそれぞれ復元する。復号処理部２２１は、他にも音声信号及び各種の情報（信号）等の処理系も備えているが、簡単化のため図示していない。図３では、２種類の線が示されているが、２重線は、コンテンツの信号、例えば、映像信号を含む信号の入出力を示し、実線は、制映像信号を含まない、例えば、制御信号及び情報（信号）を含む信号の入出力を示す。なお、第１の信号処理部６０１及び第２の信号処理部６０２において、システム時刻基準値（System Time Clock : STC）は、共通である。
【００４２】
復号処理部２２１は、各種の信号を入力するために複数の入力端子及び伝送路複合部を備えている。本実施形態において、復号処理部２２１は、入力端子６０、８０と、伝送路復号部６２、８２、クロック再生制御部７２と、アップコンバータ７４と、バッファ７６と、出力セレクタ（選局部）９６と、出力端子９７と、第１の信号処理部６０１と、第２の信号処理部６０２と、を備えている。なお、復号処理部２２１は、各部がＣＰＵ１３２によって制御処理されている。すなわち、ＣＰＵ１３２は、クロック再生制御部７２と、アップコンバータ７４と、バッファ７６と、出力セレクタ９６と、第１の信号処理部６０１と、第２の信号処理部６０２等を制御する。
【００４３】
本実施形態において、入力端子６０は、放送信号が入力され、伝送路復号部６２に出力する。入力端子８０は、拡張放送信号が入力され、伝送路復号部８２に出力する。伝送路復号部６２、８２は、入力される放送信号を復調し、伝送路復号処理によって伝送路に対応した復号化処理が解除される。伝送路復号部６２、８２は、復号した信号（第１のＴＳ信号及び第２のＴＳ信号）を出力する。
【００４４】
クロック再生制御部７２は、復号のタイミングを同期するための第２のクロック情報を生成し、第２の多重化分離部８４から取得した時間情報を出力する。また、クロック再生制御部７２は、ＳＴＣが共通であるため、ＰＣＲに基づいてデコーダ６８及びＳＨＶＣデコーダ７８を同期制御することができる。
【００４５】
アップコンバータ７４は、入力される映像信号の解像度、画面サイズ及び色帯域をアップコンバートする。アップコンバータ７４は、デコーダ６８によって復号される映像信号（第２の復号映像信号）をアップコンバートし、アップコンバートによって生成された映像信号（第２の拡大復号映像）信号を生成し、この第２の拡大復号映像を出力する。例えば、アップコンバータ７４は、入力される２Ｋ映像信号の解像度を４Ｋ映像信号（第２の拡大４Ｋ映像信号）の解像度に変換する。  
バッファ７６は、各種信号を一時的に蓄積するための記憶領域回路である。
【００４６】
出力セレクタ９６は、時間情報に基づいて、入力される映像信号に含まれる画像を所定の表示タイミングで選択し、時系列に順番に画像を配列させて映像として出力する。なお、出力セレクタ９６は、音声、及び番組表等を含む情報（信号）を出力する映像に対応させて、出力することもできる。出力セレクタ９６は、選択された映像信号（選択映像信号）と、選択映像信号を識別するための選択情報とを出力する。受信機５において、出力された選択映像信号は、映像処理部１１４を介して表示部１１５に表示される。また、出力セレクタ９６は、ＰＳＩ／ＳＩ処理部９０及びＣＰＵ１３２からの信号（指示信号）に従って映像信号を選択して出力することもできる。
【００４７】
本実施形態において、拡張映像信号の第２のＰＳＩ／ＳＩの情報のみで、出力セレクタ９６は、メインチャンネル及びサブチャンネルに出力する信号を選択し、選択信号（選択映像信号）として出力することができる。この場合、出力セレクタ９６は、後述するＰＳＩ／ＳＩ処理部９０及びＣＰＵ１３２からの指示信号に従って、互いに異なるＴＳに含まれるＥＳ（Elementary Stream）（コンポーネント）を選択して、出力することができる。例えば、出力セレクタ９６は、サブチャンネルとして表示する映像、例えば、４Ｋ映像信号に、メインチャンネルで出力される映像に含まれる画像を差し込むこともできる。また、出力セレクタ９６は、サブチャンネルとして表示する４Ｋ映像に対応するように、メインチャンネルで出力される音声を出力することもできる。
【００４８】
第１の信号処理部６０１は、入力端子６０から第１のＴＳ信号が入力され、第１のＴＳ信号をメインチャンネルの映像信号（第１の表示信号）に復号する。第２の信号処理部６０２は、入力端子８０から第２のＴＳ信号が入力され、第２のＴＳ信号をサブチャンネルの映像信号（第２の表示信号）に復号する。第１の信号処理部６０１は、例えば、第１のＴＳ信号を２Ｋ映像信号に復号し、第２の信号処理部６０２は、例えば、第１のＴＳ信号（２Ｋ映像信号）及び第２のＴＳ信号（４Ｋ放送用映像の拡張映像信号）を第２の高画質映像信号（４Ｋ映像信号）に復号する。なお、第１の信号処理部６０１は、現行のＴＶ放送、例えば、ＨＤ放送に対応する受信機とほぼ同等の構成である。すなわち、現行の受信機、例えば、ＴＶ受信機は、本実施形態の送受信システム１に適用したとしても、ＨＤ（２Ｋ）放送信号を受信し、表示することができる。
【００４９】
第１の信号処理部６０１及び第２の信号処理部６０２の構成について説明する。  
はじめに、第１の信号処理部６０１について以下で説明する。  
第１の信号処理部６０１は、第１の多重化分離部６４と、第１のデスクランブラ６６と、第１のＥＣＭ／ＥＭＭ処理部７０と、デコーダ６８とを備えている。
【００５０】
第１の多重化分離部６４は、入力された信号を各種情報（信号）と映像信号とに分離し、分離した各種信号を出力する。また、第１の多重化分離部６４は、設定されたフィルタ条件を満たす信号のみを取り込むＰＩＤフィルタ（第１のＰＩＤフィルタ）６４１を備える。第１の多重化分離部６４は、ＣＰＵ１３２の指示信号に従ってＰＩＤフィルタ６４１の値を設定することができる。第１の多重化分離部６４は、ＰＡＴを取り出し、操作信号等によって指定されたコンテンツのＰＭＴのＰＩＤを取り出し、このＰＩＤで指定されたＰＭＴと取り出し、このＰＭＴで指定された映像信号を取り出して、取り出された映像信号及び時間情報信号を出力する。
【００５１】
第１のデスクランブラ６６は、入力された信号に暗号化解除の処理を実行する。第１のデスクランブラ６６は、例えば、スクランブル鍵で暗号化処理された各種信号を解除する。第１のデスクランブラ６６は、例えば、ＭＵＬＴＩ２の暗号化解除の処理を実行する。
【００５２】
第１のＥＣＭ／ＥＭＭ処理部７０は、入力された信号からＥＣＭ及びＥＭＭからスクランブル鍵を取り出す処理をする。第１のＥＣＭ／ＥＭＭ処理部７０は、暗号化されたＥＭＭを受信機５に関連する固有の鍵で復号し、復号したＥＭＭからワーク鍵を取り出す。次に、第１のＥＣＭ／ＥＭＭ処理部７０は、ワーク鍵を用いてＥＣＭを復号し、復号したＥＣＭからスクランブル鍵を取り出す。第１のＥＣＭ／ＥＭＭ処理部７０は、取り出したスクランブル鍵の情報を出力する。
【００５３】
デコーダ６８は、入力された信号のパケット化を解いて、パケット化を解いた信号の復号処理を実行する。デコーダ６８は、符号化された信号を復号し、復号した基準映像（の解像度の）信号を出力する。以下で、基準映像の解像度を第１の解像度と称する場合もある。デコーダ６８は、例えば、ＭＰＥＧ―２符号化形式で符号化された信号を復号し、復号した２Ｋ映像信号を出力する。なお、基準映像信号を単に基準映像と記載する場合もある。
【００５４】
次に、第２の信号処理部６０２について以下で説明する。  
第２の信号処理部６０２は、第２の多重化分離部８４と、第２のＥＣＭ／ＥＭＭ処理部８６と、第２のデスクランブラ８８と、ＰＳＩ／ＳＩ処理部９０と、ＳＨＶＣデコーダ７８と、メタデータ処理部９２と、高画質化処理部９４とを備えている。
【００５５】
第２の多重化分離部８４は、入力された信号を各種情報（信号）と映像信号とに分離し、分離した各種信号を出力する。第２の多重化分離部８４は、入力された信号に含まれる時間情報をクロック再生制御部に出力する。第２の多重化分離部８４は、設定されたフィルタ条件を満たす信号のみを取り込むＰＩＤフィルタ（第２のＰＩＤフィルタ）６４２を備える。第２の多重化分離部８４は、ＣＰＵ１３２の指示信号に従ってＰＩＤフィルタ６４２の値を設定することができる。第２の多重化分離部８４は、ＰＳＩからＰＡＴを取り出し、操作信号等によって指定されたコンテンツのＰＭＴのＰＩＤを取り出し、このＰＩＤで指定されたＰＭＴと取り出し、このＰＭＴで指定された映像信号を取り出して、取り出された映像信号及び時間情報信号を出力する。第２の多重化分離部８４は、ＰＭＴのデータ構造内のelementary_PIDに無効なＰＩＤ値（0x1FFF）を取り出した場合には、異なる伝送路及び伝送方式の信号内のコンポーネント指定であることを識別し、識別情報を出力する。
【００５６】
第２のＥＣＭ／ＥＭＭ処理部８６は、入力された信号からＥＣＭ及びＥＭＭからスクランブル鍵を取り出す処理をする。第１のＥＣＭ／ＥＭＭ処理部７０は、暗号化されたＥＭＭを受信機５に関連する固有の鍵で復号し、復号したＥＭＭからワーク鍵を取り出す。次に、第１のＥＣＭ／ＥＭＭ処理部７０は、ワーク鍵を用いてＥＣＭを復号し、復号したＥＣＭからスクランブル鍵を取り出す。第１のＥＣＭ／ＥＭＭ処理部７０は、取り出したスクランブル鍵の情報を出力する。
【００５７】
第２のデスクランブラ８８は、入力された信号に暗号化解除の処理を実行する。第２のデスクランブラ８８は、例えば、スクランブル鍵で暗号化処理された各種信号の各々を解除する。第２のデスクランブラ８８は、例えば、ＡＥＳの暗号化解除の処理を実行する。
【００５８】
ＰＳＩ／ＳＩ処理部９０は、ＣＰＵ１３２の指示信号に従って番組特定情報（ＰＳＩ）と、サービス情報（ＳＩ）とを処理し、ＰＳＩ及びＳＩ等に関連する情報（信号）を出力する。ＰＳＩ／ＳＩ処理部９０は、第１の多重化分離部６４、第２の多重化分離部８４、及び出力セレクタ９６と信号の送受信をする。
【００５９】
例えば、ＰＳＩ／ＳＩ処理部９０は、ＣＰＵ１３２の指示信号に従って、第２のＰＳＩ／ＳＩに含まれる第１の選局制御情報が記述されたＰＭＴを読み込むことによって、同一の信号におけるＥＳだけではなく、異なる信号（ＴＳ信号）内のＰＳＩに含まれるＰＭＴを参照しているのと同等の処理が可能になり、異なるＴＳ信号内のＥＳを参照することができる。すなわち、受信機５（ＣＰＵ１３２）は、第２のＰＳＩのＰＭＴを参照するのみで、基準映像信号（第１のＴＳ信号）の第１のＰＳＩ／ＳＩのＰＭＴを参照することなく、第１のＴＳ信号内に含まれるＥＳを参照することができる。その結果、ＰＳＩ／ＳＩ処理部９０は、第２のＰＳＩのＰＭＴを参照するのみで、ＣＰＵ１３２の指示信号に従って必要なＥＳを抽出し、抽出したＥＳによって選局リストを生成することができる。例えば、ＰＳＩ／ＳＩ処理部９０は、第２のＰＳＩに含まれるＰＭＴ（Service Y）を読み込むことによって、第１のＰＳＩに含まれるＰＭＴ（service X）内を読み込むのと同等の処理（同一の情報、又は同一のサービスとして処理）が可能となり、第１のＴＳ信号内に含まれるＥＳを参照することができる。
【００６０】
また、ＰＳＩ／ＳＩ処理部９０は、ＰＳＩに含まれるＰＭＴ内の定義された記述子を読み込み、異なる伝送路及び異なる伝送方式で伝送される信号のＥＳを参照する。ＰＳＩ／ＳＩ処理部９０は、参照したＥＳから異なる伝送路及び異なる伝送方式で伝送される信号から必要なＥＳを抽出する。ＰＳＩ／ＳＩ処理部９０は、ＣＰＵ１３２の指示信号に従って抽出したＥＳから選局する映像信号及び表示タイミング等を含む選局手順及び表示可能なコンテンツを規定する選局リスト（選局情報）を生成する。ここで、選局リストは、選局対象となる複数の表示信号の選局の手順（タイミング）、及び指示等の選局を制御するための情報である。  
なお、ＰＳＩ／ＳＩ処理部９０は、基準映像信号の第１のＰＳＩ／ＳＩと拡張映像信号の第２のＰＳＩ／ＳＩとをそれぞれ別々に読み出してもよい。
【００６１】
さらに、復号処理部２２１は、基準映像信号のＰＳＩ／ＳＩ処理部（第１のＰＳＩ／ＳＩ処理部）（図示せず）と、拡張映像信号のＰＳＩ／ＳＩ処理部（第２のＰＳＩ処理部／ＳＩ）（図示せず）とのそれぞれのデコーダにＰＳＩ／ＳＩ処理部を備えていてもよい。この場合、第１のＰＳＩ／ＳＩ処理部は、ＣＰＵ１３２の指示信号に従って基準映像信号から第１のＰＳＩ／ＳＩを読み出し、必要なＥＳ（第１のＥＳ）を抽出する。第１のＰＳＩ／ＳＩ処理部は、抽出した第１のＥＳを第１の多重化分離部６４へ出力し、選局リストを出力セレクタ９６へ出力する。同様に、第２のＰＳＩ／ＳＩ処理部は、ＣＰＵ１３２の指示信号に従って基準映像信号から第２のＰＳＩ／ＳＩを読み出し、必要なＥＳ（第２のＥＳ）を抽出する。第２のＰＳＩ／ＳＩ処理部は、抽出した第２のＥＳを第２の多重化分離部８４へ出力し、選局リストを出力セレクタ９６へ出力する。第１のＰＳＩ／ＳＩ処理部及び第２のＰＳＩ／ＳＩ処理部は、それぞれ、抽出した第１のＥＳ及び第２のＥＳを出力セレクタ９６に出力する。
【００６２】
ＳＨＶＣデコーダ７８は、入力される信号のパケット化を解いて、パケット化を解いた信号に復号処理を実行する。本実施形態において、ＳＨＶＣデコーダ７８は、入力されるスケーラブル符号化（ＳＨＶＣ（ＭＰＥＧ−ＨＥＶＣ  Ｖｉｄｅｏ）符号化）された映像信号の復号処理を実行する。ＳＨＶＣデコーダ７８は、ＳＨＶＣ符号化方式に対応して、拡張予測画像の復号際に、インター予測（動き補償予測）、イントラ予測（画面内予測）、及びレイヤ間予測（画像間予測）のいずれかを実行できる。ＳＨＶＣデコーダ７８は、ＳＨＶＣ符号化形式でスケーラブル信号を拡張予測映像信号に復号する。例えば、ＳＨＶＣデコーダ７８は、復号した拡張予測映像信号と第２の拡大映像信号（例えば、４Ｋ映像信号）を構成する第２の拡大映像信号とをレイヤ間予測することによって高画質映像（の解像度の）信号（従高画質信号）（例えば、４Ｋ映像信号）を生成する。以下で、高画質映像の解像度を第２の解像度と称する場合もある。ＳＨＶＣデコーダ７８は、生成した高画質映像信号を出力する。なお、ＳＨＶＣエンコーダ４４は、レイヤ間予測以外の予測方式によって高画質映像信号を生成することもできる。なお、高画質映像信号を単に高画質映像と記載する場合もある。
【００６３】
メタデータ処理部９２は、メタデータから高画質化するためのコントラスト、色帯域、及び諧調特性等のグレーディングするためのグレーディング情報を生成し、生成したグレーティング情報を出力する。メタデータ処理部９２は、高画質映像、例えば、４Ｋ映像に関連するグレーティング情報を生成する。
【００６４】
高画質化処理部９４は、グレーティング情報に従って入力される映像信号をグレーティングすることによって高画質化する。高画質化処理部９４は、例えば、明るさ、コントラスト、色帯域、及びフィルタ効果の付与等、高画質な雰囲気の映像にするための種々の画像処理を実行する。
【００６５】
図４は、本実施形態の受信機５の動作を示すフローチャートである。  
受信機５が起動されると、Ｓ４０１において、ＣＰＵ１３２は、拡張映像信号（拡張レイヤ）の受信の有無を検出する。
【００６６】
Ｓ４０２において、ＣＰＵ１３２は、高画質映像、例えば、４Ｋの解像度（水平方向解像度３８４０／垂直方向解像度２１６０，フレームレート６０Ｈｚ）の情報を取得する。このとき、ＣＰＵ１３２は、例えば、不揮発性メモリ１２７に記憶される設定情報から、基準映像（低画質映像）と高画質映像（拡張映像）のうちどちらを表示するか判断するために用いられる情報を読み出す。この情報は、高画質映像の種別（４Ｋの解像度か、８Ｋの解像度か）ごとに設定されても良く、ユーザによってリモコン３０２等を介して任意に設定されても良く、製造段階であらかじめ設定されていても良い。基準映像と高画質映像のうちどちらを表示するか判断するために用いられる情報は、映像の表示形態（例えば、クラウドメニュー、副映像、複数画面表示、サムネイル映像表示等）ごとに、表示すべき映像が基準映像と高画質映像のどちらかを示す情報でもよく、映像を表示する領域の大きさ（解像度）の大きさの閾値（表示閾値）であってもよい。この場合、表示部１１５に表示される表示映像の形態が基準映像の表示と示される場合、又は映像の表示領域の大きさがこの表示閾値未満の解像度の大きさである場合には、復号制御部１３３は、基準映像信号のみを復号処理するように復号処理部２２１を制御する。すなわち、受信機５は、基準映像を表示部１１５に表示する。表示部１１５に表示される表示映像の形態が基準映像の表示と設定情報に示される場合、又は映像の表示領域がこの表示閾値より大きい解像度である場合には、復号制御部１３３は、基準映像信号及び拡張映像信号を復号処理するように復号処理部２２１を制御する。受信機５は、高画質映像を表示部１１５に表示する。
【００６７】
Ｓ４０３において、リモートコントローラ３０２等から表示部１１５に表示された表示映像を切り替える操作信号を受信する。  
Ｓ４０４において、表示映像を切り替える操作信号を受信する場合、ＣＰＵ１３２は、切り替え後に表示される表示映像の表示形態及び表示種別の情報を取得する。
【００６８】
Ｓ４０５において、ＣＰＵ１３２は、表示切り替え後の表示形態及び表示種別で表示される映像が表示閾値より大きいかどうかを判定する。  
表示切り替え後の表示形態及び表示種別の表示映像が表示閾値以下の場合（Ｓ４０５のＮＯ）、ＣＰＵ１３２は、予め設定されている表示形態及び表示種別に対応する復号処理を実行するように復号制御部１３３へ指示信号を出力する。復号制御部１３３は、ＣＰＵ１３２から指示信号を受けて、基準映像信号のみを復号処理するように復号処理部２２１を制御する。  
Ｓ４０６において、復号処理部２２１は、基準映像を出力する。すなわち、受信機５は、基準映像を表示部１１５に表示する。
【００６９】
表示切り替え後の表示形態及び表示種別の表示映像が表示閾値以下の場合（Ｓ４０５のＹＥＳ）、ＣＰＵ１３２は、予め設定されている表示形態及び表示種別に対応する復号処理を実行するように復号制御部１３３へ指示信号を出力する。復号制御部１３３は、ＣＰＵ１３２から指示信号を受けて、基準映像信号及び拡張映像信号を復号処理するように復号処理部２２１を制御する。  
Ｓ４０７において、復号処理部２２１は、高画質映像を出力する。すなわち、受信機５は、高画質映像を表示部１１５に表示する。
【００７０】
以下で本実施形態の受信機５における表示切り替えに関連するいくつかの例について図面を参照して説明する。  
図５Ａは、表示映像に副映像を表示する場合の一例を示す図であり、図５Ｂは、図５Ａの場合における副映像の選局の一例を示す図である。図５Ａ及び図５Ｂにおいて、表示映像Ｇ１は、高画質映像、例えば、４Ｋ映像であり、表示映像Ｇ２は、表示映像Ｇ１上に表示される副映像である。また、副映像は、設定情報に２Ｋ映像の解像度で表示されるように設定されている。表示閾値は、４Ｋ映像の解像度の１／４の大きさ（２Ｋ映像の解像度の大きさ）である。
【００７１】
はじめに、図５Ｂにおいて、ＣＰＵ１３２が設定情報に従って表示形態に対応する表示映像を表示部１１５に表示する場合について説明する。
【００７２】
図５Ｂに示すように、リモコン３０２から操作信号を受信した場合、ＣＰＵ１３２は表示映像Ｇ２を表示映像Ｇ１上に表示する際に、副映像は、設定情報にしたがって２Ｋ映像の解像度で表示される。
【００７３】
次に、図５Ｂにおいて、ＣＰＵ１３２が設定情報の閾値に従って表示形態に対応する表示映像を表示部１１５に表示する場合について説明する。
【００７４】
図５Ｂに示すように、リモコン３０２から操作信号を受信した場合、ＣＰＵ１３２は、表示映像Ｇ２を表示映像Ｇ１上に表示する際に、表示映像Ｇ２の解像度の大きさが表示閾値より大きいかを判定する。復号制御部１３３は、ＣＰＵ１３２の操作指示に従って復号処理部２２１を制御する。図５Ｂにおいて、表示映像Ｇ２の解像度の大きさが表示閾値以下であるので、復号制御部１３３は、ＣＰＵ１３２の指示信号に従って拡張映像信号の復号処理、すなわち、第２の信号処理部６０２の復号処理を停止（または、スキップ）する。復号処理部２２１は、例えば、現行の放送波の復号処理（例えば、ＭＰＥＧ−２符号化信号の復号処理）に従って基準映像信号、２Ｋ映像信号で副映像を構成する。例えば、表示切り替え後の表示映像の解像度が表示閾値（４Ｋ映像の解像度の１／４の大きさ）以下であると判定された場合に、ＣＰＵ１３２は、表示切り替え後の副映像として２Ｋ映像を表示部１１５に表示させる。
【００７５】
図６Ａは、表示映像としてサムネイル映像を表示する場合の一例を示す図であり、図６Ｂは、図６Ａの場合におけるサムネイル映像の選局の一例を示す図である。また、表示閾値は、図５Ａ及び図５Ｂと同様に、４Ｋ映像の解像度の１／４の大きさであるものとする。  
図６Ａにおいて、表示映像Ｇ３は、リモコン３０２に備えられるｄボタンＢ１を押下した場合に表示されるサムネイル映像である。また、サムネイル映像は、設定情報に２Ｋ映像の解像度で表示されるように設定されている。
【００７６】
はじめに、図６Ｂにおいて、ＣＰＵ１３２が設定情報に従って表示形態に対応する表示映像を表示部１１５に表示する場合について説明する。
【００７７】
図６Ｂに示すように、リモコン３０２から操作信号を受信した場合、ＣＰＵ１３２は、表示映像Ｇ２を表示映像Ｇ１上に表示する際に、サムネイル映像は、設定情報にしたがって２Ｋ映像の解像度で表示される。
【００７８】
次に、図６Ｂにおいて、ＣＰＵ１３２が設定情報の閾値に従って表示形態に対応する表示映像を表示部１１５に表示する場合について説明する。
【００７９】
図６Ｂに示すように、リモコン３０２から操作信号を受信した場合、ＣＰＵ１３２は、表示映像Ｇ３を表示する際に、表示映像Ｇ３の解像度の大きさが表示閾値以下であるかを判定する。復号制御部１３３は、ＣＰＵ１３２の指示に従って復号処理部２２１を制御する。図６Ｂに示すように表示映像Ｇ３の解像度の大きさが表示閾値以下である場合、復号制御部１３３は、ＣＰＵ１３２の指示信号に従って拡張映像信号の復号処理、すなわち、第２の信号処理部６０２の復号処理を停止（または、スキップ）する。復号処理部２２１は、例えば、現行の放送波の復号処理（例えば、ＭＰＥＧ−２符号化信号の復号処理）に従って基準映像信号、例えば、２Ｋ映像信号でサムネイル映像を構成する。例えば、表示切り替え後の表示映像の解像度の大きさが表示閾値（４Ｋ映像の解像度の１／４の大きさ）以下であると判定された場合に、ＣＰＵ１３２は、表示切り替え後のサムネイル映像として２Ｋ映像を表示部１１５に表示させる。
【００８０】
これらの一例の他にも、図７、図８及び図９を参照していくつかの例を示す。  
図７は、複数の画面表示する場合の選局の一例を示す図であり、図８は、録画リストに表示されるサムネイル映像の選局の一例を示す図であり、図９は、編集画面に表示されるサムネイル映像の選局の一例を示す図である。なお、図７乃至図９の例において、図５Ａ乃至図６Ｂと同様に、副映像及びサムネイル映像は、設定情報に２Ｋ映像の解像度で表示されるように設定されている。表示閾値は、４Ｋ映像の解像度の１／４の大きさ（２Ｋ映像の解像度の大きさ）である。
【００８１】
はじめに、図７乃至９において、ＣＰＵ１３２が設定情報に従って表示形態に対応する表示映像を表示部１１５に表示する場合について説明する。  
図７乃至図９に示す例において、副映像及びサムネイル映像は、設定情報に従って２Ｋ映像の解像度で表示される。
【００８２】
次に、図７乃至９において、ＣＰＵ１３２が設定情報の閾値に従って表示形態に対応する表示映像を表示部１１５に表示する場合について説明する。
【００８３】
図７に示すように、複数の画面表示される場合には、ＣＰＵ１３２は、それぞれの表示映像（Ｇ４，Ｇ５）が表示閾値より大きいかを判定する。
【００８４】
図８に示すように、録画リストにサムネイルが表示される場合にも、前述のように、
ＣＰＵ１３２は、それぞれの表示映像（Ｇ６）が表示閾値より大きいかを判定する。
【００８５】
図９に示すように、編集画面に複数のサムネイル映像表示される場合にも、前述のように、解像度比較部１３４は、それぞれの表示映像（Ｇ７，Ｇ８）が表示閾値より大きいかを判定する。
【００８６】
図７乃至図９に示す例において、表示切り替え後の表示領域に表示される映像の解像度の大きさが表示閾値以下と判定された場合には、ＣＰＵ１３２は、表示切り替え後のサムネイル映像として２Ｋ映像を表示部１１５に表示させる。
【００８７】
本実施形態によれば、受信機５は、ＣＰＵ１３２によって表示閾値以下の解像度の大きさの映像の表示要求を受けた場合に、高画質映像の復号処理を停止（または、スキップ）する。例えば、表示閾値として４Ｋの解像度の１／４の大きさが設定されている際に、受信機５は、２Ｋの解像度の大きさの映像の表示要求を受けると、拡張映像信号及び基準映像信号による高画質映像、例えば、４Ｋ映像信号を復元する処理を停止（または、スキップ）し、４Ｋの解像度の大きさの映像の表示要求を受けると、４Ｋ映像信号を復元する処理を実行する。このため、本実施形態の受信機５では、表示閾値以下の映像に対して高画質な高画質映像、例えば、４Ｋ映像を生成する処理が抑制される。その結果、受信機５では、切り替え表示の処理時間が短縮される。したがって、受信機５は、基準映像信号及び拡張映像信号から構成される高画質映像を効率的に提供できる。
【００８８】
さらに、拡張映像信号及び基準映像信号から高画質映像を復号する場合には、種々の処理が必要となり、処理に掛かる負荷と消費電力とが高くなり得る。しかし、本実施形態の受信機５では、基準解像度未満の映像に対して高画質映像を生成する処理が抑制されるために、これらの処理にかかる負荷と消費電力とが低減される。したがって、受信機５は、基準映像信号及び拡張映像信号から構成される高画質映像を効率的に提供できる。
【００８９】
なお、本実施形態において、受信機５（ＣＰＵ１３２）は表示切り替えの際に表示される表示映像の解像度が基準解像度未満の場合に、基準映像信号を出力するとしたが、現在表示されている表示映像の表示部１１５の表示領域によって基準映像及び高画質映像のいずれかを表示かを判定してもよい。例えば、ＣＰＵ１３２は、リモコン３０２から表示切り替えを要求する操作指示信号を受信した際に、次に表示部１１５に表示する表示映像が現在表示している表示映像の表示領域より小さいことを検知した場合に表示映像として基準映像を表示部１１５に表示させる。
【００９０】
なお、本実施形態において、受信機５は、伝送路１０１に含まれるＩＰネットワーク（インターネット）を介して送信機３から送信される基準映像信号及び拡張映像信号を受信することもできる。例えば、受信機５は、基準映像信号を放送波として伝送路１０１に含まれる放送波用の伝送路で受信し、拡張映像信号を伝送路１０１に含まれるＩＰネットワークを介して受信してもよい。
【００９１】
次に第１の実施形態に係る受信機の変形例について説明する。実施形態の変形例において、前述した第１の実施形態と同一の部分には同一の参照符号を付してその詳細な説明を省略する。
【００９２】
（変形例１）  
第１の実施形態の変形例１の受信機５は、第１の実施形態の受信機５の構成に加えて、解像度比較部１３４を備える。
【００９３】
図１０は、第１の実施形態の変形例１の受信機５の一例を示すブロック図である。
【００９４】
また、本実施形態の変形例１のシステムコントローラ１１３は、解像度比較部１３４をさらに含む。
【００９５】
解像度比較部１３４は、表示部１１５に表示される映像（表示映像）を切り替える信号を受信した場合に表示映像の解像度の大きさを検出し、予め設定されている基準解像度（例えば、切り替え前の表示映像の解像度の大きさ）と切り替え後の表示映像との解像度の大きさを比較する。解像度比較部１３４は、比較結果を出力する。解像度比較部１３４は、電子回路等である。解像度比較部１３４は、ＣＰＵ１３２に組み込まれてもよいし、ＣＰＵ１３２で実行されるファームウェアであってもよい。以下で、表示部１１５の画面に表示されている映像を切り替えることを表示切り替えと称し、番組の映像を他の番組の映像に切り替えることを番組切り替え（チャンネル切り替え）と称する。
【００９６】
図１１は、本実施形態の受信機５の動作を示すフローチャートである。  
受信機５が起動されると、Ｓ１１０１において、ＣＰＵ１３２は、拡張映像信号（拡張レイヤ）の受信の有無を検出する。Ｓ１１０２において、ＣＰＵ１３２は、高画質映像、例えば、４Ｋの解像度の大きさ（水平方向解像度３８４０／垂直方向解像度２１６０，フレームレート６０Ｈｚ）の情報を取得する。このとき、ＣＰＵ１３２は、例えば、不揮発性メモリ１２７に記憶される設定情報に含まれる高画質映像の表示情報から基準解像度（例えば、高画質映像の解像度の大きさ）の情報を取得する。Ｓ１１０３において、ＣＰＵ１３２は、表示部１１５に表示可能な高画質映像、例えば、４Ｋ映像を表示する。
【００９７】
Ｓ１１０４において、リモートコントローラ３０２等から表示部１１５に表示された表示映像を切り替える操作信号を受信した場合、ＣＰＵ１３２は、切り替え後に表示される表示映像の解像度の大きさの情報を取得する。このとき、ＣＰＵ１３２は、例えば、不揮発性メモリ１２７に記憶される設定情報に含まれる副映像、複数画面表示、およびサムネイル映像表示等の表示部１１５に表示される際の解像度の情報を取得する。
【００９８】
Ｓ１１０５において、解像度比較部１３４は、基準解像度と表示切り替え後に表示される表示映像の解像度の大きさとを比較し、表示切り替え後の表示映像の解像度の大きさが基準解像度未満であるかどうかを判定する。
【００９９】
表示切り替え後の表示映像の解像度の大きさが基準解像度以上である場合（Ｓ１１０５のＮＯ）、Ｓ１１０３の処理に戻る。  
表示切り替え後の表示映像の解像度の大きさが基準解像度未満である場合（Ｓ１１０５のＹＥＳ）、Ｓ１１０６において、復号制御部１３３は、ＣＰＵ１３２の指示信号に従って拡張映像信号の復号処理を停止、またはスキップする。このとき、復号制御部１３３は、ＣＰＵ１３２の指示信号に従って第２の信号処理部６０２の一部の動作の停止、又は一部への電力供給を停止することによって拡張映像信号の復号処理を停止、またはスキップしてもよい。
【０１００】
また、拡張映像信号の復号処理を停止、またはスキップために、復号制御部１３３は、ＣＰＵ１３２の指示信号に従って復号処理部２２１に第２の多重化分離部のＰＩＤフィルタ６４２で第２のＴＳ信号（拡張映像信号）をフィルタリングさせてもよい。復号処理部２２１は、第１のＴＳ信号（基準映像信号）のみを復号処理し、基準映像信号を出力する。すなわち、復号処理部２２１は、復号制御部１３３の指示信号に従って第２のＴＳ信号（拡張映像信号）の復号処置を停止、またはスキップする。
【０１０１】
Ｓ１１０７において、拡張映像信号の復号処理を停止またはスキップした場合、ＣＰＵ１３２は、表示部１１５の表示画面の一部又は全画面に表示切り替え後に表示される表示映像として基準映像信号で構成される表示映像（基準映像）を表示部１１５に表示させる。
【０１０２】
Ｓ４０８において、リモートコントローラ３０２等から表示部１１５に表示された表示映像を切り替える操作信号を再度受信した場合、ＣＰＵ１３２は、切り替え後に表示される表示映像の解像度の情報を取得する。このとき、前述と同様に、ＣＰＵ１３２は、例えば、不揮発性メモリ１２７に記憶される設定情報に含まれる副映像、複数画面表示、およびサムネイル映像表示等の表示部１１５に表示される際の解像度の情報を取得する。
【０１０３】
Ｓ１１０９において、Ｓ１１０５の処理と同様に、解像度比較部１３４は、基準解像度と表示切り替え後に表示される表示映像の解像度とを比較し、表示切り替え後の表示映像の解像度の大きさが基準解像度未満であるかどうかを判定する。
【０１０４】
表示切り替え後の表示映像の解像度の大きさが基準解像度未満である場合（Ｓ１１０９のＮＯ）、Ｓ１１０６の処理に戻る。  
表示切り替え後の表示映像の解像度の大きさが基準解像度以上である場合（Ｓ１１０９のＹＥＳ）、Ｓ１１１０において、ＣＰＵ１３２は、高画質映像、例えば、４Ｋ映像を表示部１１５の表示画面に表示させる。
【０１０５】
以下で本実施形態の変形例１の受信機５における表示切り替えに関連するいくつかの例について第１の実施形態と同様に図５Ａ乃至図９を参照して説明する。  
図５Ａは、表示映像に副映像を表示する場合の一例を示す図であり、図５Ｂは、図５Ａの場合における副映像の選局の一例を示す図である。図５Ａ及び図５Ｂにおいて、表示映像Ｇ１は、高画質映像、例えば、４Ｋ映像であり、表示映像Ｇ２は、表示映像Ｇ１上に表示される副映像である。また、基準解像度は、４Ｋ映像の解像度の１／４の大きさ（２Ｋ映像の解像度の大きさ）である。
【０１０６】
図５Ｂに示すように、リモコン３０２から操作信号を受信した場合、ＣＰＵ１３２は、表示映像Ｇ２を表示映像Ｇ１上に表示する際に、表示映像Ｇ２の解像度の大きさと基準解像度（または、表示映像Ｇ１の解像度の大きさ）とを取得する。そして、解像度比較部１３４は、表示映像Ｇ２の解像度の大きさと基準解像度（または、表示映像Ｇ１の解像度の大きさ）とを比較し、表示映像Ｇ２の解像度の大きさが基準解像度未満であるかを判定する。解像度比較部１３４は、比較結果をＣＰＵ１３２及び／又は復号制御部１３３に出力する。図５Ｂにおいて、表示映像Ｇ２の解像度の大きさが基準解像度未満であるので、復号制御部１３３は、ＣＰＵ１３２の指示信号に従って拡張映像信号の復号処理、すなわち、第２の信号処理部６０２の復号処理を停止（または、スキップ）する。復号処理部２２１は、例えば、現行の放送波の復号処理（例えば、ＭＰＥＧ−２符号化信号の復号処理）に従って基準映像信号、２Ｋ映像信号で副映像を構成する。例えば、解像度比較部１３４によって基準解像度である４Ｋ映像の解像度の大きさに対して表示映像の解像度の大きさが２Ｋ映像の解像度の大きさ未満と判定された場合に、ＣＰＵ１３２は、表示切り替え後の副映像として２Ｋ映像を表示部１１５に表示させる。
【０１０７】
図６Ａは、表示映像としてサムネイル映像を表示する場合の一例を示す図であり、図６Ｂは、図６Ａの場合におけるサムネイル映像の選局の一例を示す図である。また、基準解像度は、４Ｋ映像の解像度の大きさである。  
図６Ａにおいて、表示映像Ｇ３は、リモコン３０２に備えられるｄボタンＢ１を押下した場合に表示されるサムネイル映像である。図６Ｂに示すように、リモコン３０２から操作信号を受信した場合、ＣＰＵ１３２は、表示映像Ｇ３を表示する際に、表示映像Ｇ３の解像度の大きさと基準解像度（または、表示切り替え前の表示映像の解像度の大きさ）とを取得する。そして、解像度比較部１３４は、表示映像Ｇ３の解像度の大きさと基準解像度（または、表示切り替え前の表示映像の解像度の大きさ）とを比較し、表示映像Ｇ３の解像度の大きさが基準解像度未満であるかを判定する。解像度比較部１３４は、比較結果をＣＰＵ１３２及び／又は復号制御部１３３に出力する。図６Ｂに示すように表示映像Ｇ３の解像度の大きさが基準解像度未満である場合、復号制御部１３３は、拡張映像信号の復号処理、すなわち、第２の信号処理部６０２の復号処理を停止（または、スキップ）する。復号処理部２２１は、例えば、現行の放送波の復号処理（例えば、ＭＰＥＧ−２符号化信号の復号処理）に従って基準映像信号、例えば、２Ｋ映像信号でサムネイル映像を構成する。例えば、解像度比較部１３４によって基準解像度である４Ｋ映像の解像度の大きさに対して表示映像の解像度の大きさが２Ｋ映像の解像度未満と判定された場合に、ＣＰＵ１３２は、表示切り替え後のサムネイル映像として２Ｋ映像を表示部１１５に表示させる。
【０１０８】
これらの一例の他に、図７は、複数の画面表示する場合の選局の一例を示す図であり、図８は、録画リストに表示されるサムネイル映像の選局の一例を示す図であり、図９は、編集画面に表示されるサムネイル映像の選局の一例を示す図である。
【０１０９】
図７に示すように、複数の画面表示される場合には、解像度比較部１３４は、それぞれの表示映像（Ｇ４，Ｇ５）と基準解像度（または、表示切り替え前の表示映像の解像度の大きさ）とを比較し、表示映像Ｇ４及びＧ５の解像度の大きさが基準解像度の解像度未満であるかを判定する。
【０１１０】
図８に示すように、録画リストにサムネイルが表示される場合にも、前述のように、
解像度比較部１３４は、それぞれの表示映像（Ｇ６）と基準解像度（または、表示切り替え前の表示映像の解像度の大きさ）とを比較し、表示映像Ｇ４及びＧ５の解像度の大きさが基準解像度の解像度の大きさ未満であるかを判定する。
【０１１１】
図９に示すように、編集画面に複数のサムネイル映像表示される場合にも、前述のように、解像度比較部１３４は、それぞれの表示映像（Ｇ７，Ｇ８）と基準解像度（または、表示切り替え前の表示映像の解像度の大きさ）とを比較し、表示映像Ｇ７及びＧ８の解像度の大きさが基準解像度の解像度の大きさ未満であるかを判定する。
【０１１２】
図７乃至図９に示す例において、解像度比較部１３４によって基準解像度である４Ｋ映像の解像度の大きさに対して表示映像の解像度の大きさが２Ｋ映像の解像度の大きさ未満と判定された場合には、ＣＰＵ１３２は、表示切り替え後のサムネイル映像として２Ｋ映像を表示部１１５に表示させる。
【０１１３】
本実施形態によれば、受信機５は、ＣＰＵ１３２によって基準解像度未満の解像度の大きさの映像の表示要求を受けた場合に、高画質映像の復号処理を停止（または、スキップ）する。例えば、基準解像度として４Ｋの解像度の大きさが設定されている際に、受信機５は、２Ｋの解像度の映像の表示要求を受けると、拡張映像信号及び基準映像信号による高画質映像、例えば、４Ｋ映像信号を復元する処理を停止（または、スキップ）する。この場合に、受信機５は、表示部１１５の全画面に表示される映像には高画質映像、例えば、４Ｋ映像を出力し、基準解像度未満の表示映像として基準映像、例えば、２Ｋ映像を出力する。このため、本実施形態の受信機５では、基準解像度未満の映像に対して高画質な高画質映像、例えば、４Ｋ映像を生成する処理が抑制される。その結果、受信機５では、切り替え表示の処理時間が短縮される。したがって、受信機５は、基準映像信号及び拡張映像信号から構成される高画質映像を効率的に提供できる。
【０１１４】
さらに、拡張映像信号及び基準映像信号から高画質映像を復号する場合には、種々の処理が必要となり、処理に掛かる負荷と消費電力とが高くなり得る。しかし、本実施形態の受信機５では、基準解像度未満の映像に対して高画質映像を生成する処理が抑制されるために、これらの処理にかかる負荷と消費電力とが低減される。したがって、受信機５は、基準映像信号及び拡張映像信号から構成される高画質映像を効率的に提供できる。
【０１１５】
なお、本実施形態において、受信機５（ＣＰＵ１３２）は表示切り替えの際に表示される表示映像の解像度が基準解像度未満の場合に、基準映像信号を出力するとしたが、現在表示されている表示映像の表示部１１５の表示領域によって基準映像及び高画質映像のいずれかを表示かを判定してもよい。例えば、ＣＰＵ１３２は、リモコン３０２から表示切り替えを要求する操作指示信号を受信した際に、次に表示部１１５に表示する表示映像が現在表示している表示映像の表示領域より小さいことを検知した場合に表示映像として基準映像を表示部１１５に表示させる。
【０１１６】
次に他の実施形態に係る送受信システムについて説明する。他の実施形態において、前述した実施形態と同一の部分には同一の参照符号を付してその詳細な説明を省略する。  
（第２の実施形態）  
第２の実施形態において、受信機５は、さらに表示切り替えの際に、ザッピング検出するための構成を備えている。
【０１１７】
図１２は、第２の実施形態の受信機５の一例を示すブロック図である。  
システムコントローラ１１３は、さらにザッピング検出部１３５を備えている。  
ザッピング検出部１３５は、リモコン３０２等から表示切り替えの操作信号を所定の時間間隔の間にしきい値を超えた場合にザッピングを検出し、検出結果を出力する。ここでザッピングとは、テレビの視聴時に、リモコン等によってチャンネル（コンテンツ、番組）を頻繁に切り替ることである。すなわち、チャンネルを短時間で連続的に切り替えたり、コンテンツを短時間で連続的に切り替えたりする操作が行われている状態が「ザッピング状態」である。ザッピング検出部１３５は、ＣＰＵ１３２に組み込まれてもよいし、ＣＰＵ１３２で実行されるファームウェアであってもよい。
【０１１８】
図１３は、本実施形態の受信機５の動作を示すフローチャートである。  
本実施形態では、受信機５が駆動されると、Ｓ１３０１において、ＣＰＵ１３２は、拡張映像信号（拡張レイヤ）の受信の有無を検出する。  
Ｓ１３０２において、ＣＰＵ１３２は、表示部１１５に表示可能な高画質映像、例えば、４Ｋ映像を表示させる。  
Ｓ１３０３において、ＣＰＵ１３２は、チャンネル切り替えを要求する信号を受信する。Ｓ１３０４において、ザッピング検出部１３５は、所定の時間間隔の間に所定の回数のチャンネルが切り替えられたかを判定する。このとき、ザッピング検出部１３５は、不揮発性メモリ１２７に記憶される設定情報からザッピングに関連する時間間隔およびしきい値（基準切り替え回数）等を取得する。ザッピング検出部１３５は、所定の時間間隔の間に基準切り替え回数を超えるチャンネル切り替えを検出した場合、ザッピング状態であると判断する。
【０１１９】
ザッピング検出部１３５がザッピング状態と判定しなかった場合（Ｓ１３０４のＮＯ）、Ｓ１３０２の処理に戻る。  
ザッピング検出部１３５がザッピング状態と判定した場合（Ｓ１３０４のＹＥＳ）、Ｓ１３０５において、ＣＰＵ１３２は、現在表示部１１５に表示されているチャンネル（番組）の次に選択されることが予測される番組のチャンネル（予測チャンネル、予測番組）を設定する。すなわち、ＣＰＵ１３２は、ザッピング中にユーザが次に選択すると予測されるチャンネルを設定（チャンネル予測）する。ここで、ＣＰＵ１３２は、例えば、不揮発性メモリ１２７に予測チャンネルに関連する情報を記憶する。
【０１２０】
Ｓ１３０６において、ＣＰＵ１３２は、予測チャンネルとして設定したチャンネルに表示される番組の拡張映像信号及び／又は基準映像信号を表示される前に先行して受信する。ここで、ＣＰＵ１３２は、先行して受信した拡張映像信号及び／又は基準映像信号を一時的にバッファまたはメモリ等に保持してもよい。例えば、ＣＰＵ１３２は、不揮発性メモリ１２７及び／又は記憶部１２９等に保持してもよい。  
Ｓ１３０７において、復号制御部１３３は、ＣＰＵ１３２の指示信号に従って復号処理部２２１に先行して受信した拡張映像信号の復号処理をチャンネル切り替えの指示信号を受ける前に開始させる。
【０１２１】
Ｓ１３０８において、ＣＰＵ１３２は、直前に表示部１１５の表示画面に表示されていたチャンネルの次に選択及び表示されたチャンネルが予測チャンネルと一致しているかどうかを判定する。  
選択されたチャンネルが予測チャンネルと一致していないと判定した場合（Ｓ１３０８のＮＯ）、Ｓ１３０９においてＣＰＵ１３２は、通常のチャンネルの切り替えを実行する。ここで、通常のチャンネル切り替えは、先行して取得した拡張映像信号がない状態でのチャンネル切り替えである。したがって、通常のチャンネル切り替えでは、ＣＰＵ１３２は、切り替え後の表示映像が現行の番組（放送コンテンツ）である基準映像である場合には、現行の放送通りにチャンネルを切り替える。また、通常のチャンネル切り替えでは、ＣＰＵ１３２は、切り替え後の表示映像が高画質映像、例えば、４Ｋ映像である場合には、基準映像信号の復号処理よりも復号処理に処理時間がかかるため遅延時間を含んでチャンネルを切り替える。
【０１２２】
選択されたチャンネルが予測チャンネルと一致していないと判定した場合（Ｓ１３０８のＹＥＳ）、Ｓ１３１０において、ＣＰＵ１３２は、復号処理部２２１（例えば、出力セレクタ９６）に先行して復号処理を実行している高画質映像を表示部１１５へ出力させる。  
Ｓ１３１０において、ＣＰＵ１３２は、表示部１１５に高画質映像を表示させる。  
以下で、図面を参照してＣＰＵ１３２のザッピング状態における予測チャンネルの設定についていくつかの例を示す。
【０１２３】
図１４（ａ）、（ｂ）は、ザッピング中における予測チャンネルの一例を示す図であり、図１５（ａ）、（ｂ）は、ザッピング中における予測チャンネルの一例を示す図である。図１４（ａ）、（ｂ）及び図１５（ａ）、（ｂ）において、Ｂ２は、複数の数字の記載されたボタンを含む。これらの複数のボタンは、それぞれ、番組のチャンネルが設定で割り当てられている番号を押下することによって表示部１１５に表示されている番組を設定で割り当てられている番組の表示映像に切り替えるための操作信号を送信するためのボタンである。Ｂ３は、現在表示部１１５に表示されている番組のチャンネルの割り当てられた数字（伝送路、チューナ等）が隣り合う（隣接する）チャンネル（アップ又はダウンのチャンネル）に切り替えるためのボタンである。
【０１２４】
ＣＰＵ１３２は、例えば、リモコン３０２において現在選局中の番組のボタンに設置位置が隣接して配置されるボタンの番組のチャンネルを予測チャンネルとして設定する。  
この場合、例えば、図１４（ａ）に示すように、ボタンＢ２中の“５”のボタンを表示部１１５に表示している場合、ＣＰＵ１３２は、予測チャンネルとして“５”のボタンに隣接する“２”、“４”、“６”、および“８”のボタンに割り当てられたチャンネルを設定する。また、図１４（ｂ）に示すように、ＣＰＵ１３２は、予測チャンネルとして“５”のボタンに対して斜めの位置に配置されている“１”、“３”、“７”、および“９”のボタンを設定する。
【０１２５】
ＣＰＵ１３２は、例えば、リモコン３０２上のボタンの番号を単調増加又は単調減少していることを検出した場合、リモコン３０２において次のボタンに割り当てられた番組のチャンネルを予測チャンネルとして設定する。
【０１２６】
この場合、例えば、図１５（ａ）に示すように、ＣＰＵ１３２は、例えば、リモコン３０２上に配置されているボタンＢ２において“１”のボタン、“２”のボタン、“１”のボタン、“３”のボタンと記載の順に選局していることを検知した場合には、“４”のボタンを予測チャンネルとして設定する。また、図１５（ｂ）に示すように、ＣＰＵ１３２は、例えば、リモコン３０２上に配置されているボタンＢ２において“２”のボタン、“５”のボタン、“８”のボタンと記載の順に選局していることを検知した場合には、“１１”のボタンを予測チャンネルとして設定する。
【０１２７】
なお、図１４（ａ）、（ｂ）および図１５（ａ）、（ｂ）において、“５”の周囲の配置された全てのボタンのチャンネルが予測チャンネルとして設定されてもよい。また、図に示すような組み合わせでなくともよい。例えば、縦、横、斜めに隣接するボタンのチャンネルの自由な組み合せが予測チャンネルとして設定されてもよい。
【０１２８】
ＣＰＵ１３２は、例えば、選局ボタンＢ３によって選局されていることを検知した場合には、現在表示されている番組のチャンネルの隣接する次（アップ）のチャンネル又は前（ダウン）のチャンネルを予測チャンネルとして設定する。
【０１２９】
また、ＣＰＵ１３２は、リモコン３０２のチャンネル切り替えを要求する操作信号がこのとき、不揮発性メモリ１２７は、チャンネルの予測リストを備えていてもよい。なお、この予測リストは、予め受信機５にテーブルとして設定されていてもよいし、ユーザによって設定されてもよい。
【０１３０】
この予測リストは、ＣＰＵ１３２によってユーザが頻繁に視聴している番組のチャンネルを利用頻度毎に検出して作成されてもよい。この場合、ＣＰＵ１３２は、現在表示されている番組のチャンネル以外の利用頻度の高いいくつかのチャンネルを予測チャンネルとして設定する。
【０１３１】
さらに、予測リストは、インターネットに接続可能である場合には、インターネット上から取得してもよい。この場合、例えば、予測リストは、居住地域、家族構成、年代、職業、性別、および時間帯等でどのような番組が頻繁に視聴されているかを集積したデータによって作成される。
【０１３２】
本実施形態において、受信機５は、ザッピング検出部１３５を備えている。ザッピング検出部１３３は、リモコン３０２等からのチャンネル切り替えの操作信号が所定の時間間隔の間に所定の回数送信されていることを検知して、ユーザがザッピングをしていることを検出する。ザッピングを検出した場合、ＣＰＵ１３２は、現在表示されているチャンネルの次に選択されるチャンネルを予測する。ＣＰＵ１３２は、予測チャンネルの拡張レイヤを予め取得する。選択されたチャンネルが予測チャンネルと一致した場合、受信機５（ＣＰＵ１３２）は、復号処理部２２１において基準映像信号及び拡張映像信号からすぐに高画質映像を復号処理することができる。すなわち、チャンネル切り替えの際に、受信機５は、すぐに高画質映像を表示部１１５に表示することができる。したがって、受信機５は、基準映像信号及び拡張映像信号から構成される高画質映像を効率的に提供できる。
【０１３３】
次に第２の実施形態に係る受信機の変形例について説明する。実施形態の変形例において、前述した第２の実施形態と同一の部分には同一の参照符号を付してその詳細な説明を省略する。
【０１３４】
（変形例２）  
第２の実施形態の変形例２の受信機５は、視聴チャンネルの表示切り替えの際に、複数のチャンネル切り替えの方法を設定することができる。
【０１３５】
変形例２のＣＰＵ１３２は、チャンネル切り替えの際に、予め設定されたチャンネル切り替え設定（チャンネル切り替えモード）に従って表示映像を切り替える。例えば、ＣＰＵ１３２は、リモコン３０２等から視聴チャンネル切り替えを要求する操作信号を受信した場合には、はじめに基準映像を表示部１１５に表示し、一定時間（数秒）後に高画質映像信号を表示する。このとき、ＣＰＵ１３２は、例えば、不揮発性メモリ１２７に記憶される設定情報に含まれるチャンネル切り替えの情報を取得する。
【０１３６】
変形例２の受信機５は、例えば、チャンネル切り替えの情報として設定情報に第１モードと第２モードとを備える。  
第１モードは、視聴チャンネルの切り替え時に高画質映像が検出された場合、現在視聴している切り替え前のチャンネル（第１のチャンネル）の映像から切り替える際に、切り替え後チャンネル（第２のチャンネル）に対応する基準映像を表示していから高画質映像を表示する。このとき、復号制御部１３３は、復号処理部２２１を復号処理の完了した順番に映像処理部１１４に出力するように制御する。
【０１３７】
第２モードは、視聴チャンネルの切り替え時に高画質映像が検出された場合、基準映像を表示することなく高画質映像を表示する。
【０１３８】
例えば、ＣＰＵ１３２は、リモコン３０２からチャンネル切り替えを要求する操作信号を受信した場合、第１モードでは、２Ｋ映像を表示し、一定時間後に４Ｋ映像を表示し、第２モードでは、４Ｋ映像を表示する。このとき、第２モードでは、４Ｋ映像を復号する処理に時間がかかるために、ＣＰＵ１３２がチャンネル切り替えの操作信号を受信してから４Ｋ映像を表示するまでの間に遅延時間が発生し、僅かに画像の途切れ、黒画面、または前の画像の最終フレームを表示した静止画等が挿入される可能性がある。一方、第１モードでは、ＣＰＵ１３２がチャンネル切り替えの操作信号を受信してから４Ｋ映像を表示するまでの間に、２Ｋ映像が挿入される。ＣＰＵ１３２は、４Ｋ映像の復号処理が完了し次第、表示部１１５に４Ｋ映像を表示させる。
【０１３９】
図１６は、本実施形態の変形例２の受信機５の動作を示すフローチャートである。ここで、受信機５は、チャンネル切り替えモードとして設定情報に第１モードと第２モードとを備えるものとする。
【０１４０】
本実施形態では、受信機５が駆動されると、Ｓ１６０１において、ＣＰＵ１３２は、拡張映像信号の受信の有無を検出する。  
Ｓ１６０２において、リモコン３０２等を介してユーザによってチャンネル切り替えモードが設定される。ここで、チャンネル切り替えモードは、製造段階で予め設定されていてもよい。
【０１４１】
Ｓ１６０３において、ＣＰＵ１３２は、リモコン３０２等からチャンネルを切り替える要求する操作信号を受信し、チャンネル切り替えを実行する。  
Ｓ１６０４において、ＣＰＵ１３２は、チャンネル切り替えモードが第１モードに設定されているか、または第２モードに設定されているかどうかを判定する。  
チャンネル切り替えモードが第１モードである場合（Ｓ１６０６の第１モード）、Ｓ１６０５において、復号制御部１３３は、復号処理部２２１を復号処理の完了した順番に映像処理部１１４に出力するように制御する。
【０１４２】
Ｓ１６０６において、復号処理部２２１は、ＣＰＵ１３２及び復号制御部１３３の指示信号にしたがって高画質映像の復号処理が完了するまでの間に基準映像を出力する。例えば、復号処理部２２１は、ＣＰＵ１３２及び復号制御部１３３の指示信号にしたがって高画質映像である４Ｋ映像の復号処理が完了するまでの間に基準映像である２Ｋ映像を出力する。
【０１４３】
チャンネル切り替えモードが第２モードである場合（Ｓ１６０６の第２モード）、Ｓ１６０７の処理に進む。
【０１４４】
Ｓ１６０７において、高画質映像の復号処理が完了した場合、復号処理部２２１は、ＣＰＵ１３２及び復号制御部１３３の指示信号にしたがってすぐに基準映像を高画質映像、例えば、４Ｋ映像を出力する。
【０１４５】
なお、このチャンネル切り替えモードは、図１３に示される第２の実施形態のザッピングに関連するチャンネル切り替えの処理に適用することができる。例えば、Ｓ１３０３の処理において、通常のチャンネル切り替えの際に、ＣＰＵ１３２は、高画質映像信号の復号処理が完了するまでの間に、基準映像を表示部１１５に表示してもよい。また、Ｓ１３０９の処理において、通常のチャンネル切り替えにおいて、ＣＰＵ１３２は、高画質映像信号の復号処理が完了するまでの間に、基準映像を表示部１１５に表示してもよい。
【０１４６】
以下で、図面を参照してチャンネル切り替え設定の設定方法についていくつかの例を示す。以下では、変形例２の受信機５では、チャンネル切り替え設定が、表示部１１５に表示される設定画面等を介した操作によって設定される例について示す。
【０１４７】
図１７は、表示切り替えの設定画面の一例を示す図である。  
図１７に示すように、ＣＰＵ１３２は、選択画面においてユーザに選択された表示切り替え設定（第１モード又は第２モード）で表示部１１５へ表示される映像のチャンネル切り替えを実行する。
【０１４８】
図１８は、項目毎に表示切り替えを設定可能な設定画面の一例を示す図である。  
図１８に示すように、ＣＰＵ１３２は、項目、例えば、チャンネル、番組のジャンル、および番組ごとにユーザによって設定されたチャンネル切り替え設定（第１モード又は第２モード）に従って表示部へ表示される映像の表示切り替えを実行する。
【０１４９】
本実施形態の変形例２によれば、受信機５は、高画質映像、例えば、４Ｋ映像の番組にチャンネル切り替えを要求する操作信号を受信した場合に、チャンネル切り替えモードに従って高画質映像を表示部１１５に表示する。受信機５は、４Ｋ映像の番組にチャンネル切り替えを要求する操作信号を受信した場合に、４Ｋ映像の復号処理が完了するまでの間に、２Ｋ映像を出力し、４Ｋ映像の復号処理が完了し次第、４Ｋ映像を表示部１１５に表示する。すなわち、受信機５では、４Ｋ映像の復号処理が完了するまでの間に、画像の途切れ、黒画面、または前の画像の最終フレームを表示した静止画等が挿されない。したがって、受信機５は、基準映像信号及び拡張映像信号から構成される高画質映像を効率的に提供できる。
【０１５０】
なお、第１モードでは、基準映像と高画質映像とのチャンネル切り替えのタイミングは、高画質映像の復号処理が完了後すぐにとしたが、ＣＰＵ１３２は、表示部１１５に表示されている表示映像のシーンが変わる瞬間にチャンネルの切り替えを実行することもできる。また、高画質映像の復号処理が完了後に、ＣＰＵ１３２は、設定された時間及び時刻でチャンネル切り替えを実行することもできる。
【０１５１】
（第３の実施形態）  
第３の実施形態において、受信機５は、前述の実施形態の構成及び機能に加えて、さらに表示切り替えの際に、未使用のチューナ（未使用チューナ）を検出するための機能を備えている。
【０１５２】
図１９は、第３の実施形態の受信機５の一例を示すブロック図である。  
第３の実施形態のシステムコントローラ１１３は、さらにチューナ検出部１３６を備えている。
【０１５３】
チューナ検出部１３６は、入力部１１１に含まれるチューナ及びチューナに関連する情報を検出し、検出結果を出力する。リモコン３０２等から操作指示によって表示切り替え、例えば、高画質映像の表示を要求する操作信号を受信した場合に、チューナ検出部１３６は、ＣＰＵ１３２の指示信号に従ってチューナの検出を実行する。また、チューナ検出部１３６は、受信機５が起動している間に常にチューナを検出していてもよい。このとき、取得された拡張映像信号及び／又は基準映像信号は、バッファ及び／又はメモリ等に一時的保存されてもよい。例えば、検出されたチューナで受信され拡張映像信号及び／又は基準映像信号は、不揮発性メモリ１２７及び／又は記憶部１２９に記憶されてもよい。なお、チューナ検出部１３６は、ＣＰＵ１３２に組み込まれてもよいし、ＣＰＵ１３２で実行されるファームウェアであってもよい。  
復号制御部１３３は、チューナの設定に応じて復号処理を制御する。
【０１５４】
ＣＰＵ１３２は、チューナ検出部１３６の検出結果を受けて、入力部１１１にチューナに対して受信に関連する設定情報を更新することができる。  
例えば、入力部１１１が、地上デジタル、ＢＳ放送、およびＣＳ放送受信用に設定されたチューナを備えている。この場合、ＢＳ放送及びＣＳ放送受信用のチューナの各々は、それぞれ、通常時には、ＢＳ放送及びＣＳ放送の放送波を受信する。ＢＳ放送及びＣＳ放送受信用のチューナが未使用であるという検出結果を受けた場合、ＣＰＵ１３２は、ＢＳ放送受信用のチューナに基準映像信号又は拡張映像信号を受信するようにチューナの受信設定を更新（変更）することができる。この場合、受信機５は、拡張映像信号のＰＭＴ等を参照し、チューナ設定をしてもよい。また、受信機５は、基準映像信号として伝送される地上デジタル、ＢＳ放送、およびＣＳ放送等の信号に含まれるＮＩＴを参照し、チューナを設定してもよい。このとき、受信機５は、例えば、参照した基準映像信号に対応する拡張映像信号に含まれるＮＩＴを参照するようにひも付された記述子（例えば、ＥＩＴ（Event Information Table）およびＨｙｐｅｒ＿Ｌｉｎｋ記述子等）を参照し、拡張映像信号のＮＩＴを参照する。
【０１５５】
図２０は、本実施形態の受信機５の動作を示すフローチャートである。  
本実施形態では、受信機５が駆動されると、Ｓ２００１において、ＣＰＵ１３２は、拡張映像信号の受信の有無を検出する。  
Ｓ２００２において、チューナ検出部１３６は、チューナを検出し、検出結果をＣＰＵ１３２に出力する。
【０１５６】
Ｓ２００３において、ＣＰＵ１３２は、チューナ検出部１３６の検出結果から未使用チューナを検出する。  
未使用チューナがない場合（Ｓ２００３のＮＯ）、Ｓ２００２の処理に戻る。  
未使用チューナがある場合（Ｓ２００３のＹＥＳ）、Ｓ２００４において、ＣＰＵ１３２は、現在表示部１１５で視聴（表示）されているチャンネルの表示映像に対応する拡張映像信号を受信するように、未使用チューナ（第１の未使用チューナ）を設定する。
【０１５７】
Ｓ２００５において、チューナ検出部１３６は、チューナを検出し、検出結果をＣＰＵ１３２に出力する。
【０１５８】
Ｓ２００６において、ＣＰＵ１３２は、チューナ検出部１３６の検出結果を受信して、未使用チューナがあるかどうかを判断する。  
未使用チューナがない場合（Ｓ２００６のＮＯ）、Ｓ２００５の処理に戻る。  
未使用チューナがある場合（Ｓ２００６のＹＥＳ）、Ｓ２００７において、ＣＰＵ１３２は、現在表示部１１５で視聴（表示）されているチャンネルとは異なる他チャンネルの拡張映像信号を受信するように未使用チューナ（第２の未使用チューナ）を設定する。例えば、チャンネル切り替えを要求する操作信号を受信した場合、切り替え後のチャンネルの拡張映像信号がすでに取得済であれば、ＣＰＵ１３２は、素早く高画質映像を復号し、表示部１１５に表示させることができる。
【０１５９】
Ｓ２００８において、復号制御部１３３は、取得済みの現在視聴中の番組に対応する拡張映像信号を復号処理するように復号処理部２２１を制御する。
【０１６０】
Ｓ２００９において、ＣＰＵ１３２は、リモコン３０２等からチャンネルを切り替える要求する操作信号を受信し、表示切り替えを実行する。  
Ｓ２０１１において、ＣＰＵ１３２は、操作信号に従って復号処理部２２１に映像を出力させる。取得済みの拡張映像信号から復号された高画質映像で構成される番組が選局された場合、復号処理部２２１は、素早く高画質映像を出力することができる。
【０１６１】
本実施形態によれば、受信機５は、未使用のチューナを検出するチューナ検出部１３６を備えている。ＣＰＵ１３２は、チューナ検出部１３６の検出結果を受信して、未使用のチューナで拡張映像信号を先行して取得することができる。復号処理部２２１は、復号制御部１３３の指示信号に従って先行して高画質映像を復号することができる。その結果、受信機５は、表示切り替えの際に、４Ｋ映像の復号処理が完了するまでの間に発生する遅延時間が短縮されるために、画像の途切れ、黒画面、または前の画像の最終フレームを表示した静止画等が挿入されることがなく、高画質映像を表示部１１５に表示することができる。したがって、受信機５は、基準映像信号及び拡張映像信号から構成される高画質映像を効率的に提供できる。
【０１６２】
（第４の実施形態）  
第４の実施形態において、受信機５は、前述の実施形態の構成及び機能に加えて、さらに表示切り替えの際に、高画質映像の表示を設定できる構成を備えている。
【０１６３】
図２１は、第４の実施形態の受信機５の一例を示すブロック図である。  
第４の実施形態の受信機５は、番組情報検出部１３７をさらに備えている。また、本実施形態の受信機５は、高画質映像の表示を許可するかどうかを示す情報（表示設定情報）を備えている。すなわち、表示設定情報は、基準映像及び高画質映像のどちらで表示するかを示す。例えば、表示設定情報は、不揮発性メモリ１２７及び／又は記憶部１２９に備えられている。
【０１６４】
番組情報検出部１３７は、番組に関連する情報を検出し、表示設定情報とから表示される表示映像が高画質映像での表示許可が設定されているかを判定し、判定結果の情報を出力する。番組情報検出部１３７は、例えば、番組のチャンネル、種類（ジャンル）、番組情報、番組内容、および放送時刻等を取得する。例えば、番組情報検出部１３７は、ストリーム（信号）からＥＩＴ（Event Information Table）を読み出すこともできる。表示設定情報は、予め設定されていてもよいし、ユーザによって表示画面を介して設定されてもよい。なお、番組情報検出部１３７は、ＣＰＵ１３２に組み込まれてもよいし、ＣＰＵ１３２で実行されるファームウェアであってもよい。  
以下で本実施形態の受信機５における高画質映像の表示設定に関連するいくつかの例について図面を参照して説明する。図２２、図２３（ａ）、（ｂ）、および図２４（ａ）、（ｂ）は、本実施形態の高画質映像の表示設定画面の一例である。  
例えば、図２２に示すように、ユーザは、リモコン３０２等を介して表示部１１５に表示される画面上でチャンネル、ジャンル、および番組毎に、高画質映像の表示を設定できる。図２２において、“ＯＮ”に設定されている場合には、ＣＰＵ１３２は、高画質映像を表示部１１５に表示する。図２２において“ＯＦＦ”の場合には、ＣＰＵ１３２は、高画質映像を表示しないで、基準映像を表示部１１５に表示させる。
【０１６５】
また、図２３（ａ）に示すように、ジャンル毎に設定する場合には、ジャンルとして高画質映像を表示するかどうかを設定でき、かつさらに詳細に設定することもできる。例えば、図２３（ａ）に示すように、スポーツのテニス、サッカー、および野球が高画質映像の表示が“ＯＮ”に設定されている。この場合、図２１（ｂ）に示すように、風景の映像Ｇ９は、基準映像、例えば、２Ｋ映像で表示されるが、テニスの映像Ｇ１０は、高画質映像、例えば、４Ｋ映像で表示される。
【０１６６】
図２４（ａ）に示すように、用語を設定することで、ＣＰＵ１３２は、設定された用語が番組情報に含まれる場合に高画質映像で表示するかどうかを自動的に判断する。例えば、図２４（ａ）に示すように、ユーザが“絶景”及び“美しい”等の用語を表示設定情報に追加すると、ＣＰＵ１３２は、番組情報に設定された用語を確認した場合にその番組を高画質映像で表示部１１５に表示させる。図２２（ｂ）に示されるような場合、番組情報に“絶景”および“美しい”が含まれる番組“□△△”と番組“○○□”は、高画質映像で表示される。このような場合、復号制御部１３３は、設定された用語を番組情報に含む番組の拡張映像信号を先行して取得するように復号処理部２２１を制御する。
【０１６７】
図２５は、本実施形態の受信機５の動作を示すフローチャートである。  
本実施形態では、受信機５が駆動されると、Ｓ２５０１において、ＣＰＵ１３２は、拡張映像信号の受信の有無を検出する。  
Ｓ２５０２において、ユーザは、リモコン３０２等を介して高画質映像の表示設定を設定する。なお、高画質映像の表示設定は、製造段階で予め設定されていてもよい。  
Ｓ２５０３において、ＣＰＵ１３２は、リモコン３０２等から表示切り替えを要求する操作信号を受信し、表示切り替えを実行する。  
Ｓ２５０４において、ＣＰＵ１３２は、表示切り替え後に表示する映像の拡張映像信号があるかどうかを判定する。
【０１６８】
拡張映像信号が存在しないと判定された場合（Ｓ２５０４のＮＯ）、Ｓ２５０３の処理に戻る。
【０１６９】
拡張映像信号が存在すると判定された場合（Ｓ２５０４のＹＥＳ）、Ｓ２５０５において、番組情報検出部１３７は、ＣＰＵ１３２の指示信号にしたがって表示切り替え後に表示する表示映像の番組情報と検出する。ここで、番組情報は、例えば、チャンネル、番組の放映時刻、放送地域、番組（内容）、および番組の種類（ジャンル）等である。
【０１７０】
Ｓ２５０６において、番組情報検出部１３７は、表示設定情報を検出する。ここで、例えば、番組情報検出部１３７は、不揮発性メモリ１２７から表示設定情報を検出する。
【０１７１】
Ｓ２５０７において、番組情報検出部１３７は、番組情報および表示設定情報から表示される表示映像が高画質映像での表示許可が設定されているかどうかを判定する。
【０１７２】
高画質映像での表示許可が設定されていると判定された場合（Ｓ２５０７のＹＥＳ）、Ｓ２５０８において、ＣＰＵ１３２は、復号処理部２２１に出力させる。
【０１７３】
高画質映像での表示許可が設定されていないと判定された場合（Ｓ２５０７のＮＯ）、Ｓ２５０９において、復号制御部１３３は、ＣＰＵ１３２の指示信号に従って拡張映像信号の復号処理を停止、またはスキップする。したがって、復号処理部２２１は、基準映像信号のみを復号して出力する。  
Ｓ２５１０において、ＣＰＵ１３２は、表示部１１５の表示画面に表示映像として基準映像を表示させる。
【０１７４】
本実施形態によれば、受信機５は、高画質映像の表示設定の情報を不揮発性メモリ１２７に備えている。ＣＰＵ１３２は、この表示設定に従って、例えば、チャンネル、番組、および番組の種類（ジャンル）ごとに高画質映像での表示許可が設定されているかどうかを判定する。受信機５は、次に表示する表示映像が表示設定で高画質映像での表示許可が設定されていない場合には高画質映像の復号処理を停止（または、スキップ）し、基準映像を表示部１１５に表示する。したがって、本実施形態の受信機５は、表示設定を設定することによって効率的に高画質映像の復号処理を実行することができる。
【０１７５】
なお、本実施形態において、２つの伝送路ではなく１つの伝送路で高画質映像を構成する信号（第３の映像信号）を受信できる場合には、受信機５は、表示許可情報等に関わらず高画質映像を受信する。例えば、ＣＳ放送等で４Ｋ映像が放送されている場合には、受信機５は、４Ｋ映像を構成する信号（第３の映像信号）を受信可能な専用チューナ（高性能チューナ）を少なくとも１つ備え、この専用チューナを介して表示設定情報に関わらず４Ｋ映像を受信する。ここで、受信機５は、４Ｋ放送及びスケーラブル放送の両方に対応するテレビ受信機等である。
【０１７６】
（第５の実施形態）  
第５の実施形態において、受信機５は、前述の実施形態の構成及び機能に加えて、さらにセンサ４０１を備えている。
【０１７７】
図２６は、第５の実施形態の受信機５の一例を示すブロック図である。  
第５の実施形態の受信機５は、センサ４０１をさらに備えている。  
センサ４０１は、受信機５を視聴している人物（視聴者）及び視聴者の状態等を検出し、検出結果を出力する。センサ４０１は、種々のセンサであり、例えば、光学センサ、人感センサ、温度センサ、光センサ、および加速度センサ等を含む。  
復号制御部１３３は、センサ４０１の検出結果に応じて復号処理部２２１を制御する。例えば、センサ４０１が所定の時間（検出時間）以上視聴者を検出できない場合には、復号制御部１３３は、ＣＰＵ１３２の指示信号に従って拡張映像信号の復号処理を停止、またはスキップする。検出時間は、ユーザによって任意に設定されてもよいし、製造段階で設定されていてもよい。また、不揮発性メモリ１２７の設定情報に検出時間に関する情報が含まれていてもよい。
【０１７８】
図２７は、本実施形態の受信機５の動作を示すフローチャートである。  
本実施形態では、受信機５が駆動されると、Ｓ２７０１において、ＣＰＵ１３２は、拡張映像信号の受信の有無を検出する。  
Ｓ２７０２において、ＣＰＵ１３２は、高画質映像を表示部１１５に表示する。  
Ｓ２７０３において、センサ４０１は、視聴者がいるかどうかを検出する。
【０１７９】
視聴者がいると判定された場合（Ｓ２７０３のＹＥＳ）、Ｓ２７０２の処理に進む。  
視聴者がいないと判定された場合（Ｓ２７０３のＮＯ）、Ｓ２７０４において、復号制御部１３３は、ＣＰＵ１３２の指示信号に従って拡張映像信号の復号処理を停止、またはスキップする。したがって、復号処理部２２１は、基準映像信号のみを復号して出力する。  
Ｓ２７０５において、ＣＰＵ１３２は、表示部１１５の表示画面に表示映像として基準映像を表示させる。  
Ｓ２７０６において、センサ４０１は、再度視聴者がいるかどうかを検出する。
【０１８０】
視聴者がいないと判定された場合（Ｓ２７０６のＮＯ）、Ｓ２７０５の処理に進む。  
視聴者がいると判定された場合（Ｓ２７０６のＹＥＳ）、Ｓ２７０７において、復号制御部１３３は、ＣＰＵ１３２の指示信号に従って拡張映像信号の復号処理を開始するように制御する。  
Ｓ２７０８において、ＣＰＵ１３２は、表示部１１５の表示画面に表示映像として高画質映像を表示させる。
【０１８１】
本実施形態によれば、受信機５は、視聴者の有無をセンサ４０１によって検出することができる。ＣＰＵ１３２は、視聴者がいない場合には高画質映像の復号処理を停止（または、スキップ）し、基準映像を表示部１１５に表示する。したがって、本実施形態の受信機５は、表示設定を設定することによって効率的に高画質映像の復号処理を実行することができる。
【０１８２】
前述の実施形態によれば、受信機５で、表示切り替えの処理時間が短縮される。  
さらに、受信機５は、表示切り替えの状況に応じて高画質映像の復号処理を停止することが可能である。その結果、受信機５では、高画質映像の復号処理にかかる負荷と消費電力とが低減される。したがって、受信機５は、基準映像信号及び拡張映像信号から構成される高画質映像を効率的に提供できる。
【０１８３】
前述の実施形態において、基準映像信号および拡張映像信号は、それぞれ、異なる放送波を伝送する伝送路で伝送されるとしたが、伝送路としてインターネットで伝送されてもよい。例えば、図２８に示されるように、送受信システム１は、送信機（送信装置）３と、受信機（受信装置）５と、サーバ７と、で構成されている。送受信システム１において、送信機３、受信機５、及びサーバ７は、それぞれ有線及び／又は無線の放送及び通信の伝送路で接続されている。送受信システム１では、送信機３は、例えば、放送波を媒体として番組コンテンツを配信する。サーバ７は、インターネット回線を介して番組コンテンツを配信する。送受信システム１は、伝送路８０１、８０２および８０３を備えている。送受信システム１において、送信機３は、伝送路８０１と、サーバ７を経由して伝送路８０２及び伝送路８０３を介して伝送する伝送路とによって基準映像信号及び拡張映像信号を
伝送することができる。この場合、前述の実施形態で示したようにＣＰＵ１３２は表示切り替えを実行する。例えば、図２９に示すように、インターネット回線によって取得される映像を表示部１１５に表示する場合において、表示映像Ｇ１１が基準解像度よりも低い場合、ＣＰＵ１３２は、高画質映像の復号処理を停止（、またはスキップ）して基準映像を表示することができる。
【０１８４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許の請求の範囲に記載された発明とその均等の範囲に含まれるものである。
【符号の説明】
【０１８５】
１…送受信システム、３…送信機（送信装置）、４…送信信号処理装置、５…受信機（受信装置）、７…サーバ、１０、１６、２２、４０，６０，８０…入力端子、５８、９７…出力端子、６４…第１の多重化分離部、６６…第１のデスクランブラ、６８…デコーダ、７０…第１のＥＣＭ／ＥＭＭ処理部、７２…クロック再生制御部、７４…アップコンバータと、７６…バッファ、７８…ＳＨＶＣデコーダ、８４…第２の多重化分離部、８６…第２のＥＣＭ／ＥＭＭ処理部、８８…第２のデスクランブラ、９０…ＰＳＩ／ＳＩ処理部、９２…メタデータ処理部、９４…高画質化処理部、１０４…アンテナ部、１０５…外部入力端子、１１１…入力部、１１２…信号処理部、１１３…システムコントローラ（システム制御部）、１１４…映像処理部、１１５…表示部、…１１６音声処理部、１１７…音声出力部、１１９…操作部、１２０…受信部、１２１…通信インターフェース、１２２…ネットワーク制御部、１２３…ＵＳＢインターフェース、１２４…ＨＤＭＩ、１２５…記憶部、２１１…復号処理部、５０１…第１の信号生成部、５０２…第２の信号生成部、６０１…第１の信号処理部、６０２…第２の信号処理部、８０１…第１の伝送路、８０２…第２の伝送路、８０３…第３の伝送路
【図１】
0006637233.tif 000002
【図２】
0006637233.tif 000003
【図３】
0006637233.tif 000004
【図４】
0006637233.tif 000005
【図５Ａ】
0006637233.tif 000006
【図５Ｂ】
0006637233.tif 000007
【図６Ａ】
0006637233.tif 000008
【図６Ｂ】
0006637233.tif 000009
【図７】
0006637233.tif 000010
【図８】
0006637233.tif 000011
【図９】
0006637233.tif 000012
【図１０】
0006637233.tif 000013
【図１１】
0006637233.tif 000014
【図１２】
0006637233.tif 000015
【図１３】
0006637233.tif 000016
【図１４】
0006637233.tif 000017
【図１５】
0006637233.tif 000018
【図１６】
0006637233.tif 000019
【図１７】
0006637233.tif 000020
【図１８】
0006637233.tif 000021
【図１９】
0006637233.tif 000022
【図２０】
0006637233.tif 000023
【図２１】
0006637233.tif 000024
【図２２】
0006637233.tif 000025
【図２３】
0006637233.tif 000026
【図２４】
0006637233.tif 000027
【図２５】
0006637233.tif 000028
【図２６】
0006637233.tif 000029
【図２７】
0006637233.tif 000030
【図２８】
0006637233.tif 000031
【図２９】
0006637233.tif 000032